(57)【要約】本発明は、可視光及び／又はＵＶ光透過放電ベッセルを有する、蛍光ランプに係る。少なくとも１つの発光層は、ＵＶ光をＵＶ−Ａ、ＵＶ−Ｂ及び／又は可視光の他の波長へと変換するよう、放電ベッセルの内壁上へとコーティングされる。本発明は、発光層が放電ベッセルの内側表面の範囲上で塗布されない一部分において、少なくとも１つの基板層は、放電ベッセルのこの範囲の外側表面上に適用されること；及び／又は、発光層が放電ベッセルの内側表面の範囲上で塗布される少なくとも一部分において、少なくとも１つの基板層は、放電ベッセルのこの範囲の外側表面上に適用されること、を特徴とする。基板層は、長時間にわたって放出可能である少なくとも１つの揮発性有機物質を有し、揮発性有機物質は、ＵＶ光及び／又は蛍光ランプから生成される熱によって放出され、作動中、蛍光ランプの放電ベッセルの外側表面の温度は、７０℃以下である。
2008520063.tif 000002
【特許請求の範囲】
【請求項１】
可視光及び／又はＵＶ光透過放電ベッセルを有する、蛍光ランプであって、
少なくとも１つの発光層は、ＵＶ光をＵＶ−Ａ、ＵＶ−Ｂ及び／又は可視光の他の波長へと変換するよう、前記放電ベッセルの内壁上へとコーティングされ、
発光層が前記放電ベッセルの内側表面の範囲上で塗布されない一部分において、少なくとも１つの基板層は、前記放電ベッセルのこの範囲の外側表面上に適用されること；及び／又は、
発光層が前記放電ベッセルの前記内側表面の範囲上で塗布される少なくとも一部分において、少なくとも１つの基板層は、前記放電ベッセルのこの範囲の前記外側表面上に適用されること、
を特徴とし、
前記基板層は、長時間にわたって放出可能である少なくとも１つの揮発性有機物質を有し、前記揮発性有機物質は、ＵＶ光及び／又は前記蛍光ランプから生成される熱によって放出され、作動中、前記蛍光ランプの前記放電ベッセルの前記外側表面の温度は、１００℃以下である、
蛍光ランプ。
【請求項２】
前記基板層の上方外側表面全体は、１ｍｍ２乃至１５００ｃｍ２であり、望ましくは６ｍｍ２乃至１０００ｃｍ２である、
請求項１記載の蛍光ランプ。
請求項１記載の
【請求項３】
前記基板の平均厚さは、１μｍ乃至２ｃｍであり、望ましくは２０μｍ乃至０．５ｃｍである、
請求項１又は２記載の蛍光ランプ。
【請求項４】
前記基板層は、有機物質であり、前記有機物質は、高分子、ロウ状物質、糖類、樹脂及び／又は接着剤を有する群から選択され、望ましくは前記基板層は、有機ＵＶ分解性物質である、
請求項１乃至３記載の蛍光ランプ。
【請求項５】
前記揮発性有機物質は、香料、防臭剤、殺虫剤、殺菌剤、調合薬、及び／又は抗アレルギー薬を有する群から選択される、
請求項１乃至４記載の蛍光ランプ。
【請求項６】
前記基板層は、０．０１重量％乃至４０重量％、より望ましくは１重量％乃至５重量％である量において前記揮発性有機物質を有する、
請求項１乃至５記載の蛍光ランプ。
【請求項７】
少なくとも１つの基板層は、コーティング揮発性有機物質の粒子、及び／又は揮発性物質を有する多孔質粒子を有する、
請求項１乃至６記載の蛍光ランプ。
【請求項８】
前記基板層は、多孔質構造を有し、望ましくは前記基板層は、１ｎｍ乃至１００μｍである直径を有する孔隙を有し、前記直径は望ましくは２００ｎｍ乃至５０μｍである、
請求項１乃至７記載の蛍光ランプ。
【請求項９】
徐放障壁層及び／又はＵＶ保護層は、少なくとも１つの基板層上へと適用される、
請求項１乃至８記載の蛍光ランプ。
【請求項１０】
ガス放電ランプであり、望ましくは水銀放電ランプであり、より望ましくは低圧水銀放電ランプである、
請求項１乃至９記載の蛍光ランプ。
【請求項１１】
請求項１乃至１０記載の少なくとも１つの蛍光ランプの使用であって、
全般照明用、特にはサンベッドランプとしての日焼け用、室内清浄用、臭気低減用、医療用、衛生用、抗アレルギー用、消毒用、及び／又は捕虫用、である、
使用。
【発明の詳細な説明】
【技術分野】
【０００１】
本発明は、低温での揮発性物質の徐放が可能である蛍光ランプ、及び当該蛍光ランプの使用に係る。該揮発性物質は、例えば香料、防臭剤、殺虫剤、殺菌剤、調合薬、及び／又は抗アレルギー薬である。
【背景技術】
【０００２】
照明器具の分野において、高温がもたらす揮発性成分の放出の技術は、ＵＳ  ４，１８４，０９９（特許文献１）中で開示される。
【０００３】
該特許文献１において、約３５重量％乃至約７０重量％の高揮発性物質を有するＶｅｒｓａｌｏｎ（登録商標）型のポリアミド樹脂の組成を形成するボディが、説明される。該光揮発性物質は、空気中の大変希釈された蒸気状態において比較的長時間作用し得る、香料、防臭剤、殺虫剤、殺菌剤、及び動物忌避剤である。光揮発性材料は、長時間にわたって制御されて放出される。樹脂の分子量は、９，０００乃至１２，０００であり、その軟化点は、１２０℃乃至４００℃で変化する。加えて、文献は、前出の組成を取り込んで説明され、また、この発明（ｔｈｅ  ｉｎｓｔａｎｔ  ｉｎｖｅｎｔｉｏｎ）の一部として、該組成を基本的に有する環状物質（ｔｏｒｏｉｄａｌ  ａｒｔｉｃｌｅ）を有してコーティングされる電球は、開示される。
【０００４】
しかしながら、特許文献１は、低温での揮発性物質の徐放を与える目的には対応しない。更には、特許文献１は、先行技術の電球と比較して更により低い作動温度を有することが既知である蛍光ランプを対象とはしていない。
【０００５】
更に、特許文献１は、低温での揮発性物質のある程度連続的な徐放がどのように得られ得るか、及び／又は、低温での揮発性物質の所望の放出速度が長時間にわたってどのように調整され得るか、という問題に関して言及していない。
【０００６】
また、特許文献１は、蛍光ランプの近くでそこからある距離における周囲空気を著しく変えることなく不快な臭気を除去するよう、蛍光ランプを取り巻く定義済みの範囲における特定の空間濃度（ｒｏｏｍ  ｃｏｎｃｅｎｔｒａｔｉｏｎ）を与える目的には、対応しない。
【０００７】
加えて、温度がもたらす揮発性成分の放出、特には特許文献１中に記載される高温がもたらす放出に関する欠点は、スイッチが切られる際、電球を室温まで冷却するのにある程度時間がかかる、ことである。故に、電球が既にスイッチを切られていても、揮発性成分は冷却時間中にある程度放出される。
【０００８】
他の欠点は、電球に対して典型的である高い作動温度において揮発性成分が分解し得、焼ける臭い又は不快な臭いをもたらし得る、ことである。
【特許文献１】ＵＳ  ４，１８４，０９９
【発明の開示】
【発明が解決しようとする課題】
【０００９】
したがって、本発明は、上述された少なくとも１つの不利点を克服する、ことを目的とする。
【００１０】
更には、本発明は、蛍光ランプによってもたらされる低温において揮発性物質を放出する、ことを目的とする。
【００１１】
本発明の他の目的は、低温において蛍光ランプによってもたらされる揮発性物質を、長時間にわたって所定の量で放出する、ことである。
【００１２】
本発明の他の目的は、低温において蛍光ランプによってもたらされる揮発性物質を、蛍光ランプの作動中のみ放出すること、である。
【課題を解決するための手段】
【００１３】
上述された目的のうち少なくとも１つを達成するよう、本発明は、可視光及び／又はＵＶ光透過放電ベッセルを有する蛍光ランプを与える。少なくとも１つの発光層は、ＵＶ光をＵＶ−Ａ、ＵＶ−Ｂ及び／又は可視光の他の波長へと変換するよう、放電ベッセルの内壁上へとコーティングされる。それによって、
・  発光層が放電ベッセルの内側表面の範囲上で塗布されない一部分において、少なくとも１つの基板層は、放電ベッセルのこの範囲の外側表面上に適用され；及び／又は、
・  発光層が放電ベッセルの内側表面の範囲上で塗布される少なくとも一部分において、少なくとも１つの基板層は、放電ベッセルのこの範囲の外側表面上に適用される。
前出の基板層は、長時間にわたって放出可能である少なくとも１つの揮発性有機物質を有し、揮発性有機物質は、ＵＶ光及び／又は蛍光ランプから生成される熱によって放出され、作動中、蛍光ランプの放電ベッセルの外側表面の温度は、１００℃以下（≦１００℃）である。
【００１４】
最も望ましくは、作動時の該蛍光ランプの放電ベッセルの外側表面の温度は、７０℃以下である。
【００１５】
本発明に従った蛍光ランプは、蛍光ガス放電ランプ、望ましくは水銀放電ランプ、より望ましくは低圧水銀放電ランプであり得る。本発明に従った最も望ましい蛍光ランプは、ＵＶ光を生成するいかなる蛍光ランプであってもよく、該ＵＶ光は、日焼け用であるＵＶ−Ａ及び／又はＵＶ−Ｂに、あるいは全般照明用の可視光等である他の波長に変換され得る。本発明に従った蛍光ランプは、全般照明用、特にはサンベッドランプとしての日焼け用、室内清浄用、臭気低減用、医療用、衛生用、抗アレルギー用、消毒用、及び／又は捕虫用に使用され得る。
【００１６】
本発明に従って使用可能である蛍光ランプは、１つ又は少なくとも２つの端部を有する放電ベッセルを有し得、放電ベッセルにおける放電を生成及び維持及び保持するよう電極を担持する電極担体は、端部において配置される。
【００１７】
蛍光ランプにおいて、水銀は、紫外線（ＵＶ）光を生成する主成分である。しかしながら、蛍光ランプはまた、水銀を有さずともよく、その代わりにＵＶ光を生成する成分を有する。ＵＶ光を生成するかかる成分は、「イオン化充填剤」とも称され、当業者には周知である。
【００１８】
蛍光ランプは更に、不活性ガス等であるバッファガスを有する。該ガスは、望ましくはネオン、アルゴン、クリプトン、キセノン等を有する群から選択される。
【００１９】
放電ベッセルの内壁は、発光層を有してコーティングされ得る。該発光層は、例えばＵＶ光を所望の放射線に変換する発光粉末である発光物質を有する。
【００２０】
望ましくは、蛍光ランプは、低圧放電ランプである。しかしながら、本発明に従って使用可能である放電ベッセル及び／又は蛍光ランプは、断面において実質的に円形である、ことが望ましい。放電ベッセル及び／又は蛍光ランプの形状は、管状又は電球状であり得る。
【００２１】
ＵＶによって活性化される（ＵＶ−ａｃｔｉｖａｔｅｄ）揮発性有機物質の放出を効率的に強化するよう、発光物質が上方に塗布されない放電ベッセルの内側表面の少なくとも１つの範囲が与えられ、放電ベッセルの上方外側表面上で前出の範囲に少なくとも対向しておかれる該基板層の分解によって、取り込まれた揮発性有機物質は、徐々に放出される。
【００２２】
揮発性有機物質を有する基板層は、放電ベッセルの外側上方表面上に多種の通り適用され得る。例えば、基板層は、放電ベッセルの外側上方表面が部分的に又は完全に基板層によって覆われるよう、適用され得る。基板層は、放電ベッセルの外側上方表面に対して適用される周囲である（ｔｈｅ  ｓｕｂｓｔｒａｔｅ  ｌａｙｅｒ  ｉｓ  ｃｉｒｃｕｍｆｅｒｅｎｃｅ  ａｐｐｌｉｅｄ  ｔｏ  ｔｈｅ  ｏｕｔｅｒ  ｕｐｐｅｒ  ｓｕｒｆａｃｅ  ｏｆ  ｓａｉｄ  ｄｉｓｃｈａｒｇｅ  ｖｅｓｓｅｌ）、ことが望ましい。
【００２３】
基板層は、可視光及び／又はＵＶ光に対して透過性及び／又は透明である、ことが望ましい。透過性及び／又は透明の基板層は、無色又は事実上無色であり得る。また、透過性及び／又は透明の基板層は有色である、ことも所望され得る。しかしながら基板層は、当然のことながら、可視光及び／又はＵＶ光に対して非透過型及び／又は不透明であり得るか、事実上そうであり得る。特には、基板層が該基板層によって部分的に覆われる場合、基板層が可視光及び／又はＵＶ光に対して非透過型及び／又は不透明であり得るか、事実上そうである、ことは望まれ得る。例えば、放電ベッセルの内側表面の範囲上に発光層が適用されないところである一部分に対して、基板層がその外側表面上に適用される場合、基板層は、環境に対して、特には消費者に対して所望されないＵＶ光を妨げるよう、ＵＶ光に対して非透過型又は不透明であり得るか、事実上そうである、ことは有利であり得る。
【００２４】
「透明」という語は、基板層の一側上の物が、裸眼を有して基板層の他側から見ると可視である、ことを意味する。
【００２５】
揮発性物質を有する透過性及び／又は透明の基板層は、２００ｎｍ乃至１２００ｎｍの範囲において波長を有する放射線を伝達することができる、ことは望まれ得る。特には、透過性及び／又は透明の基板層は、２９０ｎｍ乃至７５０ｎｍにおける波長を有する放射線、望ましくは３２５ｎｍ乃至３８８ｎｍの範囲における波長又は少なくとも３６５ｎｍを上回る波長を有する放射線、より望ましくは４０５ｎｍ乃至４３６ｎｍの範囲における波長を有する放射線を伝達する、ことは所望され得る。基板層は、２９０ｎｍ乃至７５０ｎｍの波長範囲を有する放射線の５０％より多く、望ましくは６０％より多く、更に望ましくは７０％より多く、より更に望ましくは８０％より多く、最も望ましくは９０％より多くを伝達する、ことは所望され得る。
【００２６】
本発明の一実施例によれば、基板層と放電ベッセルの外側上方表面との間には、揮発性有機物質を有さない少なくとも１つの層が配置され得、例えば温度、ＵＶ活性等を低減する。
【００２７】
本発明の目的は、低温での環境に対する揮発性有機物質の望ましくは徐放である放出を与えることである。更には、揮発性有機物質の放出は少なくとも５０時間である長時間にわたって達成され得る、ことが望ましい。本発明によれば、放出の時間は、本発明に従った蛍光ランプの作動時間に基づいて、少なくとも約１００時間、望ましくは２５０時間、より望ましくは５００時間、最も望ましくは１５，０００時間乃至２０，０００時間、又はそれ以上である、ことは望ましい。
【００２８】
本発明に従った日焼けランプ又はサンベッドランプに対しては、放出の時間は、ランプの作動時間に基づいて、少なくとも３００乃至１，０００時間、望ましくは４００乃至８００時間、より望ましくは４５０乃至６５０時間である、ことは望ましい。
【００２９】
蛍光ランプの外側表面の作動における温度は、望ましくは７０℃以下且つ室温以上であり、より望ましくは６５℃以下且つ６０℃以下であり、より望ましくは４０℃以上且つ５５℃以下である。
【００３０】
本発明に従った蛍光ランプの利点は、そのより低い作動温度により、揮発性有機物質の放出は、スイッチを切る際に電球と比較して大幅に低減され得る、ことである。故に、揮発性有機物質の放出は、作動時には達成され得るが、スイッチオフ状態においては著しく低いレベルにある程度すぐに低減され得る。
【００３１】
更に望ましくは、本発明に従った蛍光ランプの作動時に長い時間にわたる揮発性有機物質の放出は、ある程度一定である、ことは所望され得る。本発明に従った蛍光ランプ野作動時に揮発性有機物質の実質的に一定である放出を達成するよう、基板層の多種の構造上の対策は成され得る。
【００３２】
揮発性物質の徐放速度を与えるよう、揮発性物質は封入され得る。例えば、基板層は、封入された揮発性物質を有して作られ得、及び／又は、封入された揮発性物質は、基板層へと埋め込まれ得る。更には、揮発性物質を有する多孔質担体、及び／又は、揮発性物質を有する多孔質基板層を使用し、長時間にわたる低温での揮発性物質の徐放を与える、ことは所望され得る。組み合わせて、あるいは代替として、障壁は、揮発性物質の徐放速度を与えるよう使用され得る。障壁は、基板層の上部上に適用される、ことが望ましい。しかしながら、障壁層は、発光層、望ましくは透明な発光層であり得る。
【００３３】
更には、ＵＶ保護層は、本発明に従った蛍光ランプ上、例えば基板層の表面の上部上、障壁の表面の上部上、及び／又は基板層と障壁層との間において使用され得、有害となり得る短波ＵＶ光を防ぐようにする。ＵＶ保護層は、内側発光層が適用されていないところである放電ベッセルの範囲を外面的に覆うよう、有利に使用され得る。
【００３４】
揮発性物質は、担体上で吸収され得、基板層における香料の優れた分布と、本発明に従った蛍光ランプの作動中の制御された放出とをいずれも確実なものとする。かかる担体は、低硫酸塩（ｌｉｇｈｔ  ｓｕｌｆａｔｅ）、シリカゲル、ゼオライト、望ましくはタイプＡ，Ｘ又はＺのゼオライト、石膏、粘土、粒状粘土、気泡コンクリート等である多孔質の無機物質、あるいは、木及びセルロースをベースとする物質等である有機物質、であり得る。
【００３５】
揮発性物質はまた、マイクロカプセル化形状又は噴霧乾燥形状、あるいは包接錯体の形状であり得る。
【００３６】
揮発性物質を有する基板層は、押出し生成物の形状であり得、蛍光ランプの放電ベッセルの外側表面に対してこの形状において適用され得る。
【００３７】
可能であれば、上述された通り修正された揮発性物質の特性は更に、関連する揮発性物質のより体系的な放出を目的として、適切な物質を有する所謂「コーティング」によって最適化され得る。かかる目的に対して、例えばポリビニルアルコール等のロウ状のプラスチックは、望ましくは使用される。揮発性物質のマイクロカプセル化は、例えばポリウレタン状物質又はソフトゼラチンであるカプセル物質を活用して、所謂コアセルベーション工程によって実行され得る。噴霧乾燥揮発性物質は、例えば、組成を有する乳剤又は分散（ｄｉｓｐｅｒｓｉｏｎ）を噴霧乾燥することによって作られ得る。運ぶ際（Ａｓ  ｃａｒｒｉｅｓ）、加工デンプン、プロテイン、デキストリン、及び／又は植物ゴムは、使用され得る。包接錯体は、例えば、シクロテキシトリン又は尿素派生物及び組成の分散を水等である適切な溶媒へと取り込むことによって、作られ得る。押出し生成物は、適切なロウ状材料を有して揮発性物質を融解することによって、また、押出しに続いて固化によって、任意でイソプロパノール等である適切な溶媒において作られ得る。
【００３８】
このコーティングは、揮発性物質が粒子からの拡散することを防ぐ。更には、コーティングは、特に揮発性トップノート（ｔｏｐ−ｎｏｔｅｓ）を有する香料等である揮発性物質の本来の「特徴」を残すのに役立つ。
【００３９】
本願中で使用されるコーティング物質は、望ましくはＵＶ光によって分解可能であり、揮発性物質が必要とされる量において分裂するよう設計され、従って揮発性物質を放出する。
【００４０】
粒子は、１つより多いＵＶ分解可能物質を有してコーティングされ得、１つより多いコーティング層を有する粒子を作る。異なるコーティング物質は、一般的には最も外側であるコーティングの１つがＵＶ分解可能である限り、必要に応じて異なる揮発性物質保護を与えるよう選択され得る。
【００４１】
粒子を有する個々の揮発性物質はまた、粒子を有する複数の個々の揮発性物質を有するより大きな粒子を与えるよう、コーティング物質を有して凝集され得る。粒子を取り巻くこの凝縮物質は、粒子からの揮発性物質の拡散に対して追加的な障壁を与える。かかるアプローチはまた、揮発性物質拡散の影響を受けやすい単体粒子の表面積を最小限にする。凝縮物質に対する揮発性物質粒子の割合は、所望される追加的な保護の限界に依存して大きく変わる。この凝縮アプローチは、揮発性物質又は特に分解の影響を受けやすい揮発性物質を有して特に有用であり得る。また、大変小さい揮発性物質粒子の凝縮は、揮発性物質からの早期拡散に対して追加的な保護を与える。
【００４２】
多孔質担体、多孔質基板層、及び／又は障壁層は、１ｎｍ乃至１００μｍである直径を有する孔隙を有し得、該直径は、望ましくは２００ｎｍ乃至５０μｍである。しかしながら、多孔質担体、多孔質基板層、及び／又は障壁層は、１０ｎｍ乃至９０μｍ、５０ｎｍ乃至８０μｍ、又は１００ｎｍ乃至６０μｍである直径を有する孔隙を有し得る。孔隙の直径は、望ましくは、本発明に従った蛍光ランプの作動時に揮発性物質がそこを介してゆっくりと貫通し得るよう、選択されるべきである。しかしながら、担体物質、基板層、及び／又は障壁層は、孔隙がＵＶ放射、即ち担体物質、基板層及び／又は障壁層のＵＶ感応（ＵＶ−ａｃｔｕａｔｅｄ）分解により形成されるよう、選択され得る。
【００４３】
本発明によれば、揮発性物質及び／又は基板層に対して固定剤を加えることによって、低温での揮発性物質の放出速度を低減する、ことは望まれ得る。一般的に、全ての固定剤は、適切であり、揮発性物質の放出速度を低減し得る。固定剤は、ゲル、ロウ状物質、接着剤、樹脂、及び／又は高粘度を有する構成要素を有する群から選択され得る。しかしながら、ゲル及び／又は粘着剤は最も望ましい。
【００４４】
更には、揮発性物質の放出が熱によって作動される場合、基板層がそこを介する香料の拡散を可能にする、ことは所望され得る。しかしながら、揮発性物質に対して不十分に浸透性がある又は浸透性がない基板層は、使用され得る。ＵＶ光により、基板層の分解が達成され得るため、揮発性物質は、基板層の分解の速度に依存して放出され得る。また、揮発性物質は、基板層に対して化学的に結合され得、揮発性物質と基板層との間の結合は、ＵＶに不安定である。ＵＶ光により、該ＵＶに不安定な結合の結合破壊が達成され得るため、揮発性物質は、本発明に従った蛍光ランプの作動時に基板から環境へと放出される。基板層は、一般的に有機物質であり、有機物質は、高分子、ロウ状物質、糖類、樹脂、及び／又は接着剤を有する群から選択され、望ましくは基板層は、有機ＵＶ分解可能材料である。
【００４５】
本発明によれば、高分子は、基板層として望ましくは使用され得る。適切な高分子は、ポリエステル、ポリエーテル、ポリアミド、ポリイミド、ポリウレア、ポリウレタン、ポリエチレン、ポリアクリラート、ポリアクリルアミド、ポリビニルアセテート、ポリエチレンイミン、ポリアミン、ポリアルコール、ポリカーボニック酸、エラストマ、デュロマ（ｄｕｒｏｍｅｒ）、糖類、及び／又は接着剤を有する群から選択され得る。
【００４６】
本発明に従って使用可能である高分子の分子量は、５００乃至１０，０００，０００、望ましくは１，０００乃至１，０００，０００、より望ましくは２５００乃至５００，０００、最も望ましくは５，０００乃至５０，０００である広範囲の分子量（ＭＷ）において変わり得る。しかしながら、１０，０００乃至２５，０００であるＭＷを有する高分子は、最も望ましい。
【００４７】
しかしながら、基板層は、ゲル又は高粘度を有する組成であり得る。
【００４８】
長時間にわたる低温度での揮発性物質の放出を向上させるよう、基板層の表面は、重要であり得る。放出される揮発性物質の量は、基板層のより大きな外側上方放出表面によって増大され得る。本発明によれば、前記基板層の全上方外側表面は、１ｍｍ２乃至１５００ｃｍ２であり、望ましく６ｍｍ２乃至１０００ｃｍ２である、ことが望まれ得る。しかしながら、前記基板層の全上方外側表面は、１０ｍｍ２乃至７００ｃｍ２、５０ｍｍ２乃至５００ｃｍ２、又は１００ｍｍ２乃至３００ｃｍ２である、ことが望まれ得る。
【００４９】
更には、熱によって作動される及び／又はＵＶ光によって作動される揮発性物質の放出に対して、表面、及び基板層を有する揮発性物質の厚さは、重要であり得る。例えば、熱によって作動される高い放出速度を避けるよう、基板層の増大された厚さが望まれ得る。ＵＶによって作動される揮発性物質の放出の場合において、この基板層をＵＶ吸収の観点から使用することが適切であり得る。故に、前出の基板層の平均的な厚さが１μｍ乃至２ｃｍ、望ましくは２０μｍ乃至０．５ｃｍである、ことは望まれる。しかしながら、基板層の平均的な厚さは、５μｍ乃至１ｃｍ、１０μｍ乃至０．３ｃｍ、又は５０μｍ乃至０．１ｃｍであってよい。
【００５０】
しかしながら、放出速度に更なる影響を与えるよう、揮発性物質は、７０℃以下、望ましくは６０℃以下又は５０℃以下である温度において放出可能である、ことは望まれ得る。
【００５１】
更には、揮発性物質の放出速度に影響を与えるよう、基板層は、濃度勾配を有する揮発性物質を有し得る。例えば、基板層において有される揮発性物質の濃度は、基板層のより下方の上方表面から外側上方表面まで増大し得る。基板層のより下方の上方表面は、揮発性物質を有さない又は実質的に有さない、ことが望ましく、いずれにしても（ｗｈｅｒｅ  ｅｌｓｅ）基板層の中間区分が揮発性物質の多くを有する。基板層の製造を容易にするよう、基板層は、少なくとも２つ乃至５つ、望ましくは３つ乃至４つの基板層を有する、ことが望ましく、基板層は、揮発性物質の濃度の量において変化し得る。しかしながら、内側基板層は、外側基板層と比較して高い揮発性物質の濃度を有する。
【００５２】
揮発性物質は、香料、防臭剤、殺虫剤、殺菌剤、調合薬、抗アレルギー薬、及び／又は臭気低減を有する群から選択され得る。
【００５３】
香料又は臭気は、悪臭を隠すよう使用される。本発明に従った蛍光ランプの悪臭を中和する特性は、驚くべきものである。悪臭は、日常生活において頻繁に発生し、個人の快適な暮らしを害する。該悪臭とは、特には家庭用ペット、例えば玉葱、ニンニク、キャベツ、又は魚の調理からもたらされる台所の臭気、煙草の煙による臭気、並びに、特には冷たい煙草の煙（ｃｏｌｄ  ｔｏｂａｃｃｏ  ｓｍｏｋｅ）、かび、及びごみによる臭気である。かかる悪臭は、例えば、人間によって発散される又は分泌される物質からもたらされるものである。加えて、悪臭は、作動中の日焼け用ランプ等である機械及び／又は電子機器によってもたらされる。かかる悪臭は通常、頻繁には微量でのみ存在するにおい物質によって特に引き起こされる。
【００５４】
本願中、「香料」という語は、悪臭中和剤（ｍａｌｏｄｏｒ  ｃｏｕｎｔｅｒａｃｔａｎｔ）として作用する、臭気（ｏｄｏｒｉｆｅｒｏｕｓ）物質又はすべての物質（ａｎｙ  ｍａｔｅｒｉａｌ）を意味する。一般的には、かかる材料は、室温において大気圧より大きい蒸気圧によって特徴付けられる。ここで用いられる香料又は防臭物質は、室温においては殆どの場合液体であるが、技術的に既知である多種のカンファ香料等の固体であり得る。幅広い種類の化学物質は、香料用途に対して既知であり、アルデヒド、ケトン、エステル、及び同等のもの等である物質を有する。より一般的には、自然に発生する植物及び動物のオイル、並びに多種の化学成分の複雑な混合を有する滲出液は、香料としての使用に対して既知であり、かかる物質が本願中で使用される。本願中の香料は、その組成において比較的単純であり得るか、あるいは、自然及び合成化学成分の大変高度且つ複雑な混合物を有し得、全ては所望の臭気を与えるよう選択される。
【００５５】
本願中の典型的な香料は、例えばサンダルウッドオイル、パチョリオイル、及び同等のもの等である珍しい物質を有する木／土状ベースを有し得る。本願中の香料は、例えばローズ抽出物、バイオレット抽出物、及び同等のものである軽い花の香りを有し得る。本願中の香料は、例えばライム、レモン、オレンジ、及び同等のものである、所望のフルーティーな臭気を与えるよう作成され得る。適切な香料は、ムスクアンブレト、ムスク、ムスクケトン、ムスクキシロール、エチルバニリン、及びそれらの混合物を有する。
【００５６】
臭気、又は「香料」とも称されるものは、最も望まれる。適切な香料は、自然の原材料からの抽出物を有する群から選択され得る。該材料は、エッセンシャルオイル、樹脂、バルサム、アンバーグリースチンキ剤等であるチンキ剤；アミリスオイル；アンジェリカシードオイル；アンジェリカルートオイル；アニシードオイル；ヴァレリアンオイル；バジルオイル；ツリーモスアブソリュート；ベイオイル；アーモイズオイル；ベンゾインレジノイド；ベルガモットオイル；ビーズワックスアブソリュート；バーチタールオイル；ビターアーモンドオイル；セイボリーオイル；ブチュリーフオイル；カブリューバオイル；ケイドオイル；カラムスオイル；カンファーオイル；カナンガオイル；カルダモンオイル；カスカリラオイル；カッシアオイル；カッシーアブソリュート；カストレウムアブソリュート；シダーリーフオイル；シダーウッドオイル；シスタスオイル；シトロネラオイル；レモンオイル；コパイババルサム；コパイババルサムオイル；コリアンダオイル；コスタスルートオイル；クミンオイル；サイプレスオイル；ダヴァナオイル；ディルウィードオイル；ディルシードオイル；オードブルートアブソリュート（ｅａｕ  ｄｅ  ｂｒｏｕｔｓ  ａｂｓｏｌｕｔｅ）；オークモスアブソリュート；エレミオイル；エストラゴンオイル；ユーカリプタスシトリオドラオイル；ユーカリプタスオイル（シネオールタイプ）；フェンネルオイル；ファーニードルオイル；ガルバナムオイル；ガルバナム樹脂；ゼラニウムオイル；グレープルフルーツオイル；グアヤクウッドオイル；ガージャンバルサム；ガージャンバルサムオイル；ヘリクリサムアブソリュート；ヘリクリサムオイル；ジンジャーオイル；アイリスルートアブソリュート；アイリスルートオイル；ジャスミンアブソリュート；カラムスオイル；ブルーカモミールオイル；ローマンカモミールオイル；キャロットシードオイル；カスカリラオイル；パインニードルオイル；スペアミントオイル；キャラウェイオイル；ラブダナムオイル；ラブダナムアブソリュート；ラブダナム樹脂；ラバンディンアブソリュート；ラバンディンオイル；ラベンダーアブソリュート；ラベンダーオイル；レモングラスオイル；ラビジオイル；蒸留ライムオイル；圧搾ライムオイル；リナロエオイル；リトシークベバオイル；ローレルリーフオイル；メースオイル；マジョラムオイル；マンダリンオイル；マッソイ（ｍａｓｓｏｉ）（バーク）オイル；ミモザアブソリュート；アンブレットシードオイル；ムスクティンクチュア；クラリーセージオイル；ナツメグオイル；ミルラアブソリュート；ミルラオイル；マートルオイル；クローブリーフオイル；クローブバドオイル；ネロリオイル；オリバナムアブソリュート；オリバナムオイル；オポパナクスオイル；オレンジフラワーアブソリュート；オレンジオイル；オリガナムオイル；パルマローザオイル；パチョリオイル；ペリラオイル；ペルーバルサムオイル；パセリリーフオイル；パセリシードオイル；プチグレンオイル；ペパーミントオイル；ペッパーオイル；ピメントオイル；パインオイル；ペニーロイヤルオイル；ローズアブソリュート；ローズウッドオイル；ローズオイル；ローズマリーオイル；ダルメシアンセージオイル；スパニッシュセージオイル；サンダルウッドオイル；セロリシードオイル；スパイクラベンダーオイル；スターアニスオイル；ストラックスオイル；タゲテスオイル；ファーニードルオイル；ティーツリーオイル；テレピンオイル；タイムオイル；トルーバルサム；トンカビーンアブソリュート；チュベローズアブソリュート；バニラエッセンス；ヴァイオレットリーフアブソリュート；バーベナオイル；ベチベルオイル；ジュニパーベリーオイル；ワインリースオイル；ワームウッドオイル；ウィンターグリーンオイル；イランイランオイル；ヒソップオイル；シベットオイル；シナモンリーフオイル；シナモンバークオイル；及びその少量（ｆｒａｃｔｉｏｎｓ）又はそこから分離した原料である。
【００５７】
更には、臭気は、例えば３−カレン；α−ピネン；β−ピネン；α−テルピネン；γ−テルピネン；ｐ−シメン；ビサボレン；カンフェン；カリオフィレン；セドレン；ファルネセン；リモネン；ロンギフォレン；ミルセン；オシメン；ヴァレセン；（Ｅ，Ｚ）−１，３，５−ウンデカトリエン；スチレン；ジフェニルメタン；である炭化水素、例えばヘキサノール；オクタノール；３−オクタノール；２，６−ジメチルヘプタノール；２−メチル−２−ヘプタノール；２−メチル−２−オクタノール；（Ｅ）−２−ヘキセノール；（Ｅ）−及び（Ｚ）−３−ヘキセノール；１−オクテン−３−オル；３，４，５，６，６−ペンタメチル−３／４−ヘプテン−２−オルと３，５，６，６−テトラメチル−４−メチレンヘプタン−２−オルとの混合物；（Ｅ，Ｚ）−２，６−ノナジエノール；３，７−ジメチル−７−メトキシオクタン−２−オル；９−デセノール；１０−ウンデセノール；４−メチル−３−デセン−５−オル；であるアリファティックアルコール、例えばヘキサノール；ヘプタナール；オクタナール；ノナナール；デカナール；ウンデカナール；ドデカナール；トリデカナール；２−メチルオクタナール；２−メチルノナナール；（Ｅ）−２−ヘクセナール；（Ｚ）−４−ヘプテナール；２，６−ジメチル−５−ヘプテナール；１０−ウンデセナール；（Ｅ）−４−デセナール；２−ドデセナール；２，６，１０−トリメチル−５，９−ウンデカジエナール；ヘプタナール−ジエチルアセタール；１，１−ジメトクシ−２，２，５−トリメチル−４−ヘキセン；シトロネリルオキシアセタールデヒド、であるアリファティックアルデヒド及びそのアセタール、を有する群から使用され得る。
【００５８】
更には、臭気は、例えば２−ヘプタノンデアル；２−オクタノン；３−オクタノン；２−ノナノン；５−メチル−３ヘプタノン；５−メチル−３−ヘプタノンオキシム；２，４，４，７−テトラメチル−６−オクテン−オン；であるアリファティックケトン及びそのオキシム、例えば３−メチルチオヘキサノール；３−メチルチオヘキシルアセテート；３−メルカプトヘキサノール；３−メルカプトヘキシルアセテート；３−メルカプトヘキシルブチラート；３−アセチルトビオヘキシルアセテート（３−ａｃｅｔｙｌｔｂｉｏｈｅｘｙｌ  ａｃｅｔａｔｅ）；１−メンテン−８−チオール；であるアリファティックサルファー含有化合物、例えば２−ノネンニトリル；２−トリデセンニトリル；２，１２−トリデセンニトリル；３，７−ジメチル−２，６−オクタジエンニトリル；３，７−ジメチル−６−オクテネンニトリル；であるアィファティックニトリル、を有する群から使用され得る。
【００５９】
更には、臭気は、例えば（Ｅ）−及び（Ｚ）−３−ヘキセニルフォーメート；エチルアセトアセテート；イソアミルアセテート；ヘキシルアセテート；３，５，５−トリメチルヘキシルアセテート；３−メチル−２−ブテニルアセテート；（Ｅ）−２−ヘキセニルアセテート；（Ｅ）−及び（Ｚ）−３−ヘキセニルアセテート；オクチルアセテート；３−オクチルアセテート；１−オクテン−３−イルアセテート；エチルブチラート；ブチルブチラート；イソアミルブチラート；ヘキシルブチラート；（Ｅ）−及び−３−ヘキセニルイソブチラート；ヘキシルクロトネート；エチルイソバレラート；エチル−２−メチルペンタノアート；エチルオクタノアート；エチル−（Ｅ，Ｚ）−２，４−デカジエノアート；メチル−２−オクチナート；メチル−２−ノニナート；アリル−２−イソアミルオキシアセテート；メチル−３，７−ジメチル−２，６−オクタジエノアート、であるアリファティックカルボン酸及びそのエステル、を有する群から使用され得る。
【００６０】
更には、臭気は、例えばシトロネロール；ゲラニオール；ネロール；リナロール；ラバンデュロール；ネロリドール；ファルネソル；テトラハイドロゲラニオール；２，６−ジメチル−７−オクテン−２−オル；２，６−ジメチルオクタン−２−オル；２−メチル−６−メチレン−７−オクテン−２−オル；２，６−ジメチル−５，７−オクタジエン−２−オル；２，６−ジメチル−３，５−オクタジエン−２−オル；３，７−ジメチル−４，６−オクタトリエン−３−オル；３，７−ジメチル−１，５，７−オクタトリエン−３−オル；２，６−ジメチル−２，５，７−オクタトリエン−１−オル、である非環式テルペンアルコールを有する群、並びに、そのフォーメート、アセテート、プロピオネート、イソブチラート、ブチラート、イソバレラート、ペンタノアート、ヘキサノアート、クロトナート、チグリナート及び３−メチル−２−ブテノアート、から使用され得る。
【００６１】
更には、臭気は、例えばゲラニアール；ネラール；シトロネラル；７−ハイドロキシ−３，７−チメジルオクタナル；７−メトキシ−３，７−ジメチルオクタナル；２，６，１０−トリメチル−９−ウンデセナール；α−シネンサール；β−シネンサール；ゲラニルアセトン、である非環式テルペンアルコール及びケトンを有する群、並びに、ゲラニアールのジエチルアセタール及びジメチル−、並びにネラール及び７−ハイドロキシ−３，７−ジメチルオクタナル、から使用され得る。
【００６２】
更には、臭気は、例えばメントール；イソプレゴール；アルファ−テルピネオル；テルピネン−４−オル；メンタン−８−オル；メンタン−７−オル；ボルネオル；イソボルネオル；酸化リナロール；ノポール；セドロール；アンブリノール；ベチベロール；グアイオル、である環式テルペンアルコールを有する群、並びに、フォーメート、アセテート、プロピオネート、イソブチラート、ブチラート、イソバレラート、ペンタノアート、ヘキサノアート、クロトナート、チグリナート、及び、アルファ−テルピネオル；テルピネン−４−オル；メタン−８−オル；メタン−１−オル；メタン−７−オル；ボルネオル；イソボルネオル；酸化リナロール；ノポール；セドロール；アンブリノール；ベチベロール；グアイオル、の３−メチル−２−ブテノアート、から使用され得る。
【００６３】
更には、臭気は、例えばメントーン；イソメントーン；８−メルカプトメンタン−３−オン；カルボン；カンファ；フェンコン；アルファ−イオノン；ベータ−イオノン；アルファ−ｎ−メチルイオノン；ベータ−ｎ−メチルイオノン；アルファ−イソメチルイオノン；ベータ−イソメチルイオノン；アルファ−イオノン；アルファ−ダマスコン；ベータ−ダマスコン；ベータ−ダナセノン；デルタ−ダマスコン；ガンマ−ダマスコン；１−（２，４，４−トリメチル−２−シクロヘキセン−１−イル）−２−ブテン−１−オン；１，３，４，６，７，８ａ−ヘキサハイドロ−１，１，５，５−テトラメチル−２Ｈ−２，４ａ−メタノナフタレン−８（５Ｈ）−１−オン；ヌートカトン；ジハイドロヌートカトン；アセチル化シダーウッドオイル（セドリルメチルケトン）、である環式テルペンアルコール及びケトンを有する群から使用され得る。
【００６４】
更には、臭気は、例えば４−ｔｅｒｔ．−ブチルチクロヘキサノール；３，３，５−トリメチルシクロヘキサノール；３−イソカンフィルシクロヘキサノール；２，６，９−トリメチル−Ｚ２，Ｚ５，Ｅ９−シクロドデカトリエン−１−オル；２−イソブチル−４−メチルテトラハイドロ−２Ｈ−ピラン−４−オル、である環式アルコールを有する群から使用され得る。
【００６５】
更には、臭気は、例えばアルファ，３，３−トリメチルシクロ−ヘキシル−メタノール；２−メチル−４−（２，２，３−トリメチル−３−シクロペント−１−イル）ブタノール；２−メチル−４−（２，２，３−トリメチル−３−シクロペント−１−イル）−２−ブテン−１−オル；２−エチル−４−（２，２，３−トリメチル−３−シクロペント−１−イル）−２−ブテン−１−オル；３−メチル−５−（２，２，３−トリメチル−３−シクロペント−１−イル）−ペンテン−２−オル；３−メチル−５−（２，２，３−トリメチル−３−シクロペント−１−イル）−４−ペンテン−２−オル；１−（２，２，６−トリメチルシクロヘキシル）ペンタン−３−オル；１−（２，２，６−トリメチルシクロヘキシル）ヘキサン−３−オル、である脂環式アルコールを有する群から使用され得る。
【００６６】
更には、臭気は、例えばシネオール；セドリルメチルエーテル；シクロドデシルメチルエーテル；（エトキシメトキシ）シクロドデカン；アルファ−セドレンエポキシド；３ａ，６，６，９ａ−テトラメチルドデカハイドロナフト［２，１−ｂ］フラン；３ａ−エチル−６，６，９ａ−トリメチル−ドデカハイドロナアフト［２，１−ｂ］フラン；１，５，９−トリメチル−１３−オキサビシクロ［１０．１．０］−トリデカ−４，８−ジエン；ローズオキシド；２−（２，４−ジメチル−３−シクロヘキセン−１−イル）−５−メチル−５−（１−メチル−プロピル）１，３−ジオキサン、である環式及び脂環式エーテルを有する群から使用され得る。
【００６７】
更には、臭気は、例えば４−ｔｅｒｔ．−ブチルシクロヘキサノン；２，２，５−トリメチル−５−ペンチルシクロペンタノン；２−ヘプチルシクロペンタノン；２−ペンチルシクロペンタノン；２−ハイドロキシ−３−メチル−２−シクロペンテン−１−オン；３−メチル−シス−２−ペンテン−１−イル−２−シクロペンテン−１−オン；３−メチル−２−ペンチル−２−シクロペンテン−１−オン；３−メチル−４−シクロペンタデセノン；３−メチル−５−シクロペンタデセノン；３−メチルシクロペンタデカノン；４−（１−エトキシビニル）−３，３，５，５−テトラメチルシクロ−ヘキサノン；４−ｔｅｒｔ．−ペンチルシクロヘキサノン；５−シクロヘキサデセン−１−オン；６，７−ジハイドロ−１，１，２，３，３−ペンタメチル−４（５Ｈ）−インダノン；５−シクロヘキサデセン−１−オン；８−シクロヘキサデセン−１−オン；９−シクロヘプタデセン−１−オン；シクロペンタデカ−ノン、である環式ケトンを有する群から使用され得る。
【００６８】
更には、臭気は、例えば２，４−ジメチル−３−シクロヘキセンカルバルデハイド；２−メチル−４−（２，２，６−トリメチル−シクロヘキセン−１−イル）−２−ブテナール；４−（４−ヒドロキシ−４−メチルペンチル）−３−シクロヘキセンカルバルデハイド；４−（４−メチル−３−ペンテン−１−イル）−３−シクロヘキセンカルバルデハイド、である脂環式アルデヒドを有する群から使用され得る。
【００６９】
更には、臭気は、例えば１−（３，３−ジメチルシクロヘキシル）−４−ペンテン−１−オン；１−（５，５−ジメチル−１−シクロヘキセン−１−イル）−４−ペンテン−１−オン；２，３，８，８−テトラメチル−１，２，３，４，５，６，７，８−オクタハイドロ−２−ナフタェニルメチルケトン；メチル−２，６，１０−トリメチル−２，５，９−シクロドデカ−トリエニルケトン；ｔｅｒｔ．−ブチル−（２，４−ジメチル−３−シクロヘキセン−１−イル）ケトン、である脂環式ケトンを有する群から使用され得る。
【００７０】
更には、臭気は、例えば２−ｔｅｒｔ．−ブチルシクロヘキシルアセテート；４−ｔｅｒｔ．−ブチルシクロヘキシルアセテート；２−ｔｅｒｔ．−ペンチルシクロヘキシルアセテート；４−ｔｅｒｔ．−ペンチルシクロヘキスルアセテート；デカハイドロ−２−ナフチルアセテート；３−ペンチルテトラハイドロ−２Ｈ−ピラン−４−イルアセテート；デカハイドロ−２，５，５，８ａ−テトラメチル−２−ナフチルアセテート；４，７−メタノ−３ａ，４，５，６，７，７ａ−ヘキサ−ハイドロ−５又は６−インデニルアセテート；４，７−メタノ−３ａ，４，５，６，７，７ａ−ヘキサハイドロ−５又は６−インデニルイソブチラート；４，７−メタノオクタハイドロ−５又は６−インデニルアセテート、である環式アルコールを有する群から使用され得る。
【００７１】
更には、臭気は、例えばアリル３−シクロヘキシル−プロピオネート；アリルシクロヘキスルオキシアセテート；メチルジヒドロジャスモ−ネート；メチルジャスモネート；メチル２−ヘキシル−３−オキソシクロペンタンカルボキシラート；エチル２−エチル−６，６−ジメチル−２−シクロヘキセンカルボキシレート；エチル２，３，６，６−テトラメチル−２−シクロヘキセンカルボキシラート；エチル２−メチル−１，３−ジオキソレン−２−アセテート、である脂環式カルボキシリック酸のエステルを有する群から使用され得る。
【００７２】
［０１３０］ベンジルアルコール；１−フェニルレチルアルコール；２−フェニルレチルアルコール；３−フェニルプロパノール；２−フェニルプロパノール；２−フェノキシエタノール；２，２−ジメチル−３−フェニルプロパノール；２，２−ジメチル−３−（３−メチルフェニル）プロパノール；１，１−ジメチル−２−フェニルエチルアルコール；１，１−ジメチル−２−フェニルプロパノール；１−エチル−１−メチル−３−フェニルプロパノール；２−メチル−５−フェニルペンタノール；３−メチル−５−フェニルペンタノール；３−フェニル−２−プロペン−１−オル；４−メチルオキシベンジルアルコール；１−（４−イソプロピルフェニル）エタノール、であるアラリファティック（ａｒａｌｉｐｈａｔｉｃ）アルコール。
【００７３】
更には、臭気は、例えばベンジルアセテート；ベンジルプロピオネート；ベンジルイソブチラート；ベンジルイソバレラート；２−フェニルエチルアセテート；２−フェニルエチルプロピオネート；２−フェニルエチルイソブチラート；２−フェニルエチルイソバレラート；１−フェニルエチルアセテート；アルファ−トリクロロメチルベンジルアセテート；アルファ，アルファ−ジメチル−フェニルエチルアセテート；アルファ，アルファ−ジメチルフェニルエチルブチラート；シンナミルアセテート；２−フェノキシエチルイソブチラート；４−メトキシベンジルアセテート；例えば２−フェニルエチルメチルエーテルであるアラリファティックエーテル；２−フェニルエチルイソアミルエーテル；２−フェニルエチル−１−エトキシエチルエーテル；フェニルアセトアルデヒドジメチルアセタール；フェニルアセトアルデヒドジエチルアセタール；ヒドラトロパアルデヒドジメチルアセタール；フェニルアセトアルデヒドグリセロールアセタール；２，４，６−トリメチル−４−フェニル−１，３−ジオキサン；４，４ａ，５，９ｂ−テトラヒドロインデノ［１，２−ｄ］−ｍ−ジオキシン；４，４ａ，５，９ｂ−テトラヒドロ−２，４−ジメチルインデノ［１，２−ｄ］−ｍ−ジオキシン、である脂肪族カルボキシリック酸及びアラリファティックアルコールのエステルを有する群から使用され得る。
【００７４】
更には、臭気は、例えばベンズアルデヒド；フェニルアセトアルデヒド；３−フェニルプロパナール；ヒドラトロプアルデヒド；４−メチルベンズアルデヒド；４−メチル−フェニルアセトアルデヒド；３−（４−エチルフェニル）−２，２−ジメチルプロパナール；２−メチル−３−（４−イソプロピルフェニル）プロパナール；２−メチル−３−（４−ｔｅｒｔ．−ブチルフェニル）プロパナール；３−（４−ｔｅｒｔ．−ブチルフェニル）プロパナール；シンナムアルデヒド；アルファ−ブチルシンナムアルデヒド；アルファ−アミルシンナムアルデヒド；アルファ−ヘキシルシンナムアルデヒド；３−メチル−５−フェニルペンタナル；４−メトキシベンズアルデヒド；４−ヒドロキシ−３−メトキシベンズアルデヒド；４−ヒドロキシ−３−エトキシベンズアルデヒド；３，４−メチレン−ジオキシベンズアルデヒド；３，４−ジメトキシベンズアルデヒド；２−メチル−３−（４−メトキシフェニル）プロパナール；２−メチル−３−（４−メチルエンジオキシフェニル）プロパナール、である芳香族及びアラリファティックアルデヒドを有する群から使用され得る。
【００７５】
更には、臭気は、例えばアセトフェノン；４−メチルアセトフェノン；４−メトキシアセトフェノン；４−ｔｅｒｔ．−ブチル−２，６−ジメチルアセトフェノン；４−フェニル−２−ブタノン；４−（４−ヒトロキシフェニル）−２−ブタノン；１−（２−ナフタレニル）エタノン；ベンゾフェノン；１，１，２，３，３，６−ヘキタメチル−５−インダニルメチルケトン；６−ｔｅｒｔ．−ブチル−１，１−ジメチル−４−インダニルメチルケトン；１−［２，３−ジヒドロ−１，１，２，６−テトラメチル−３−（１−メチル−エチル）−１Ｈ−５−インデニル］エタノン；５’，６’，７’，８’−テトラヒドロ−３’，５’，５’，６’，８’，８’−ヘキサメチル−２−アセトナフトン、である芳香族及びアラリファティックケトンを有する群から使用され得る。
【００７６】
更には、臭気は、例えばベンズ酸；フェニルアセティック酸；メチルベンゾエート；ヘキシルベンゾエート；ベンジルベンゾエート；メチルフェニルアセテート；エチルフェニルアセテート；ゲラニルフェニルアセテート；フェニルエチルフェニルアセテート；メチルシンナメート；エチルシンナメート；ベンジルシンナメート；フェニルエチルシンナメート；シナミルシンナメート；アリルフェノキシアセテート；メチルサリチラート；イソアミルサリチラート；ヘキシルサリチラート；シクロヘキシルサリチラート；シス−３−ヘキセニルサリチラート；ベンジルサリチラート；フェニレチルサリチラート；メチル２，４−ジヒドロキシ−３，６ジメチルベンゾエート；エチル３−フェニルグリシデート；エチル３−メチル−３−フェニルグリシデート、である芳香族及びアラリファティックカルボキシリック酸及びそのエステルを有する群から使用され得る。
【００７７】
更には、臭気は、例えば２，４，６−トリニトロ−１，３−ジメチル−５−ｔｅｒｔ−ブチルベンゼン；３，５−ジニトロ−２，６−ジメチル−４−ｔｅｒｔ．−ブチルアセトフェノン；シンナモニトリル；５−フェニル−３−メチル−２−ペンテノニトリル；５−フェニル−３−メチルペンタノニトリル；メチルアントラニレート；メチル−Ｎ−メチルアントラニレート；７−ヒドロキシ−３，７−ジメチルオクタナール、２−メチル−３−（４−ｔｅｒｔ．−ブチルフェニル）−プロパナール、又は２，４−ジメチル−３−シクロヘキセンカルボアルデヒドを有するメチルアントラニレートノシッフ塩基；６−イソプロピルキノリン；６−イソブチルキノリン；６−ｓｅｃ．−ブチルキノリン；インドール；スカトール；２−メトキシ−３−イソプロピル−ピラジン；２−イソブチル−３−メトキシプラジン、であるニトロゲン含有芳香族化合物を有する群から使用され得る。
【００７８】
更には、臭気は、例えばエストラゴール；アネトール；ユージノール；ユージニルメチルエテル；イソユージノール；イソユージノールメチルエーテル；チモール；カルバコール；ジフェニルエーテル；ベータ−ナフチルメチルエーテル；ベータナフチルエチルエーテル；ベータ−ナフチルイソブチルエーテル；１，４−ジメトキシベンゼン；ユージニルアセテート；２−メトキシ−４−メチルフェノール；２−エトキシ−５−（１−プロペニル）フェノール；ｐ−クレシルフェニルアセテート、であるフェノール、フェニルエーテル、及びフェニルエステルを有する群から使用され得る。
【００７９】
更には、臭気は、例えば２，５−ジメチル−４−ヒドロキシ−２Ｈ−フラン−３−オン；２−エチル−４−ヒドロキシ−５−メチル−２Ｈ−フラン−３−オン；３−ヒドロキシ−２−メチル−４Ｈ−ピラン−４−オン；２−エチル−３−ヒドロキシ−４Ｈ−ピラン−４−オン、である複素環式化合物を有する群から使用され得る。
【００８０】
更には、臭気は、例えば１，４−オクタノリド；３−メチル−１，４−オクタノリド；１，４−ノナノリド；１，４−デカノリド；８−デセン−１，４−オリド；１，４−ウンデカノリド；１，４−ドデカノリド；１，５−デカノリド；１，５−ドデカノリド；１，１５−ペンタデカノリド；シス−及びトランス−１１−ペンタデセン−１，１５−オリド；シス−及びトランス−１２−ペンタデセン−１，１５−オリド；１，１６−ヘキサデカノリド；９−ヘクサデセン−１，１６−オリド；１０−オキサ−１，１６−ヘキサデカノリド；１１−オキサ−１，１６−ヘキサデカノリド；１２−オキサ−１，１６−ヘキサデカノリド；エチレン−１，１２−ドデカンジオエート；エチレン−１，１３−トリデカンジオエート；クマリン；２，３−ジヒドロクマリン；オクタヒドロクマリン、であるラクトンを有する群から使用され得る。
【００８１】
基板層は、０．０１重量％乃至４０重量％、望ましくは１重量％乃至５重量％である量において揮発性有機物質を有する、ことが望ましい。しかしながら、基板は、０．０２重量％乃至３５重量％、望ましくは０．０５重量％乃至３０重量％、より望ましくは０．１重量％乃至２５重量％、最も望ましくは０．５重量％乃至１０重量％、及び最も望ましくは３重量％乃至８重量％である重量において揮発性有機物質を有する、ことが望まれ得る。
【発明を実施するための最良の形態】
【００８２】
以下において、本発明の詳細は、図面中に示される実施例を参照して説明される。
【００８３】
本発明に従った一実施例の蛍光ランプは、図１及び図２中に示される。図２は、図１中の位置ＩＩ−ＩＩからみた蛍光ランプの断面である。蛍光ランプは、ストレート管型ガラス管放電ベッセル１の外側表面上に揮発性物質を有する薄い組成層２を有する。発光層膜３は、ガラス管１の内側表面上にコーティングされる。ガラス管１において、水銀及びバッファガスは封入される。放電は、ベース５及びピン６を介して電源に対してランプを電気的に接続することによって生成される。発光層膜３は、放射される紫外線を受け、所望のＵＶ−Ａ光、ＵＶ−Ｂ光、及び／又は可視光を放出する。バッファガスとして、ネオン、アルゴン、クリプトン、キセノン等である不活性ガスが使用される。薄膜組成層２は、蛍光ランプから放射線を吸収し、揮発性物質は、ＵＶ光及び／又は稼働時に蛍光ランプよって生成される熱によって、放出され得る。放出された有機揮発性物質の種類に依存して、悪臭物質はマスクとなり得（ｍａｌｏｄｏｒｏｕｓ  ｓｕｂｓｔａｎｃｅｓ  ｃａｎ  ｂｅ  ｍａｓｋｓ）、細菌及び菌類は、低減され得る。薄膜組成層２及び薄い発光層膜３が、ガラス管放電ベッセル１を介して互いに隣接するため、本発明に従った発光層の熱及び／又は薄膜発光層３から放射されるエネルギは、低い温度において有機性揮発性物質をゆっくりと放出するよう、効果的に利用され得る。
本発明に従った一実施例の蛍光ランプは、図３及び図４中に示される。図４は、図３中の位置ＩＩ−ＩＩから見られる蛍光ランプの断面である。蛍光ランプは、ストレート管型ガラス管放電ベッセル１の外側表面上の一部分に対して適用される薄い組成層２を有する揮発性物質を有する。発光層膜３は、組成層が適用されない部分に対してガラス管１の内側表面上でコーティングされる。ガラス管１において、水銀及びバッファガスが封入される。放電は、ベース５及びピン６を介して電源に対してランプを電気的に接続することによって生成され、水銀は、紫外線を放射する。発光層膜３は、放射される紫外線を受け、所望のＵＶ−Ａ光、ＵＶ−Ｂ光、及び／又は可視光を放出する。バッファガスとして、ネオン、アルゴン、クリプトン、キセノン等である不活性ガスが使用される。薄膜組成層２は、蛍光ランプから放射線を吸収し、揮発性物質は、ＵＶ光及び／又は稼働時に蛍光ランプよって生成される熱によって、放出され得る。放出された有機揮発性物質の種類に依存して、悪臭物質はマスクとなり得、細菌及び菌類は、低減され得る。薄膜組成層２及び薄い発光層膜３が、ガラス管放電ベッセル１を介して互いに隣接するため、本発明に従った発光層の熱及び／又は薄膜発光層３から放射されるエネルギは、低い温度において有機性揮発性物質をゆっくりと放出するよう、効果的に利用され得る。
【００８４】
揮発性物質を有する基板層は、例えば揮発性物質の基板層の物質との混合、及びその後の押出し等である一般的な技術によって、得られ得る。蛍光ランプは、続いて、揮発性物質を有する基板によってコーティングされる。
【００８５】
コーティングされた揮発性物質を有する粒子は、集積技術、噴霧乾燥、流体ビード（ｆｌｕｉｄ  ｂｅａｄ）技術等である一般的な技術によって、得られ得る。
【００８６】
一般的に、４０個の蛍光ランプを有するサンベッドが使用され、各々は１００Ｗ又は１６０Ｗの電力で作動する。これは、０乃至４％のＵＶ−Ｂ光を有するランプあたり３０乃至４５ＵＶワットのＵＶ光束をもたらし、残る放射光は、事実上ＵＶ−Ａである。前出の日焼け用ランプの通常の放射寿命は、５００乃至８００時間である。適用される芳香は、略同じ寿命で放出される。蛍光ランプは、約４０℃（端部）乃至約９０℃（中心）である作動時温度に達し得る。かかる温度は、電力及び据付けられるランプ冷却装置に大きく依存する。ランプに対する香料含有物質の蒸着に関しては、複数の試みが成され得る。望ましい解決策は、約１ｍｍの厚さ及び約１５乃至２０ｃｍ２の表面を有する、ランプの曲率に対して形成されるプロエチレン又はプリプロピレンを有する香料に浸漬された高分子層を得ること、である。望ましくは、かかる香料に浸漬された高分子層は、接着剤の使用によって蛍光ランプに対して取り付けられ得る。香料を有する基板が受ける温度は、香料を有する基板がランプに対して接着される位置に依存する。故に、香料を有する基板の位置及び行き渡る温度に依存して、高分子から放出される香料の量は、香料の放出速度及び放出時間を変えるよう、変えられ得る。
【００８７】
代替案として、例えば低融点高分子である香料を有する高分子基板は、蛍光ランプの外側上方表面状へと融解及び／又は「ペイント」され得る。
【００８８】
本発明は更に例によって説明される。
【００８９】
図１及び図３に従った蛍光ランプは、管状の設計を有し、１００Ｗの電力で稼動し、ＹＶ−ワットに対して３０であるＵＶ光束、及び０乃至４％のＵＶ−Ｂ光を有し、残りの放射光は実質的にＵＶ−Ａである。例えばポリエチレン、又はＩＦＦ  Ｉｎｔｅｒｎａｔｉｏｎａｌ  Ｆｌａｖｏｒｓ  ＆  Ｆｒａｇｒａｎｃｅｓ  Ｉｎｃ．社が販売するポリフ（ｐｏｌｙｉｆｆ）（登録商標）である高分子基板は、約１ｍｍの厚さ及び約１５乃至２０ｃｍ２の表面を有する、蛍光ランプ管の両側上で蛍光ランプの中心の方向において末端外側上方表面から適用される。
【００９０】
香料組成は、例えばポリエチレン又はポリフ（登録商標）である高分子基板において、高分子基板の総重量に基づいて１０重量％、１５重量％、２０重量％、及び２５重量％である量において、分散された。
【００９１】
使用される香料組成は、以下に記載される。
【００９２】
【表１】
2008520063.tif 000003
2008520063.tif 000004
2008520063.tif 000005
【００９３】
表中の要素及び特徴の特定の組合せは、単なる典型である。かかる教示を本願における他の教示並びに参照される特許／出願と入れ替えること及び置き換えることはまた、明確に意図される。当業者が認識する通り、本願中に記載されるものの変形、修正、及び他の実施は、請求項中の本発明の趣旨及び範囲を逸脱せずに当業者によって考えられ得る。したがって、前述された説明は、単なる例証であり、制限するものとして意図されない。本発明の範囲は、添付の請求項及び同等のものにおいて定義付けられる。更に、明細書及び請求項において使用される参照符号は、本発明の範囲を制限する物ではない。
【図面の簡単な説明】
【００９４】
【図１】蛍光ランプの長手方向断面図である。
【図２】蛍光ランプの断面図である。
【図３】蛍光ランプの長手方向断面図である。
【図４】蛍光ランプの断面図である。
【図１】
2008520063.tif 000006
【図２】
2008520063.tif 000007
【図３】
2008520063.tif 000008
【図４】
2008520063.tif 000009
【手続補正書】
【提出日】平成19年6月15日(2007.6.15)
【手続補正１】
【補正対象書類名】明細書
【補正対象項目名】全文
【補正方法】変更
【補正の内容】
【発明の詳細な説明】
【技術分野】
【０００１】
本発明は、低温での揮発性物質の徐放（スローリリース）が可能である蛍光ランプ、及び当該蛍光ランプの使用に係る。該揮発性物質は、例えば香料、防臭剤、殺虫剤、殺菌剤、調合薬、及び／又は抗アレルギー薬である。
【背景技術】
【０００２】
照明器具の分野において、高温がもたらす揮発性成分の放出の技術は、ＵＳ  ４，１８４，０９９（特許文献１）中で開示される。
【０００３】
該特許文献１において、約３５重量％乃至約７０重量％の高揮発性物質を有するＶｅｒｓａｌｏｎ（登録商標）型のポリアミド樹脂の組成を形成するボディが説明される。該光揮発性物質は、空気中の大変希釈された蒸気状態において比較的長時間作用し得る、香料、防臭剤、殺虫剤、殺菌剤、及び動物忌避剤である。光揮発性材料は、長時間にわたって制御されて放出される。樹脂の分子量は、９，０００乃至１２，０００であり、その軟化点は、１２０℃乃至４００℃で変化する。加えて、文献は、前出の組成を取り込んで説明され、また、この発明（ｔｈｅ  ｉｎｓｔａｎｔ  ｉｎｖｅｎｔｉｏｎ）の一部として、該組成を基本的に有する環状物質（ｔｏｒｏｉｄａｌ  ａｒｔｉｃｌｅ）を有してコーティングされる電球は、開示される。
【０００４】
しかしながら、特許文献１は、低温での揮発性物質の徐放を与える目的には対応しない。更には、特許文献１は、先行技術の電球と比較して更により低い作動温度を有することが既知である蛍光ランプを対象とはしていない。
【０００５】
更に、特許文献１は、低温での揮発性物質のある程度連続的な徐放がどのように得られ得るか、及び／又は、低温での揮発性物質の所望の放出速度が長時間にわたってどのように調整され得るか、という問題に関して言及していない。
【０００６】
また、特許文献１は、蛍光ランプの近くでそこからある距離における周囲空気を著しく変えることなく不快な臭気を除去するよう、蛍光ランプを取り巻く定義済みの範囲における特定の空間濃度（ｒｏｏｍ  ｃｏｎｃｅｎｔｒａｔｉｏｎ）を与える、という目的には、対応しない。
【０００７】
加えて、温度がもたらす揮発性成分の放出、特には特許文献１中に記載される高温がもたらす放出に関する欠点は、スイッチが切られる際、電球を室温まで冷却するのにある程度時間がかかる、ことである。故に、電球が既にスイッチを切られていても、揮発性成分は冷却時間中にある程度放出される。
【０００８】
他の欠点は、電球に対して典型的である高い作動温度において揮発性成分が分解し得、焼ける臭い又は不快な臭いをもたらし得る、ことである。
【特許文献１】ＵＳ  ４，１８４，０９９
【発明の開示】
【発明が解決しようとする課題】
【０００９】
したがって、本発明は、上述された少なくとも１つの不利点を克服する、ことを目的とする。
【００１０】
更には、本発明は、蛍光ランプによってもたらされる低温において揮発性物質を放出する、ことを目的とする。
【００１１】
本発明の他の目的は、低温において蛍光ランプによってもたらされる揮発性物質を、長時間にわたって所定の量で放出する、ことである。
【００１２】
本発明の他の目的は、低温において蛍光ランプによってもたらされる揮発性物質を、蛍光ランプの作動中のみ放出すること、である。
【課題を解決するための手段】
【００１３】
上述された目的のうち少なくとも１つを達成するよう、本発明は、可視光及び／又はＵＶ光透過放電ベッセルを有する蛍光ランプを与える。少なくとも１つの発光層は、ＵＶ光をＵＶ−Ａ、ＵＶ−Ｂ及び／又は可視光の他の波長へと変換するよう、放電ベッセルの内壁上へとコーティングされる。それによって、
・  発光層が放電ベッセルの内側表面の範囲上で塗布されない一部分において、少なくとも１つの基板層は、放電ベッセルのこの範囲の外側表面上に適用され；及び／又は、
・  発光層が放電ベッセルの内側表面の範囲上で塗布される少なくとも一部分において、少なくとも１つの基板層は、放電ベッセルのこの範囲の外側表面上に適用される。
前出の基板層は、長時間にわたって放出可能である少なくとも１つの揮発性有機物質を有し、揮発性有機物質は、ＵＶ光及び／又は蛍光ランプから生成される熱によって放出され、作動中、蛍光ランプの放電ベッセルの外側表面の温度は、１００℃以下（≦１００℃）である。
【００１４】
最も望ましくは、作動時の該蛍光ランプの放電ベッセルの外側表面の温度は、７０℃以下である。
【００１５】
本発明に従った蛍光ランプは、蛍光ガス放電ランプ、望ましくは水銀放電ランプ、より望ましくは低圧水銀放電ランプであり得る。本発明に従った最も望ましい蛍光ランプは、ＵＶ光を生成するいかなる蛍光ランプであってもよく、該ＵＶ光は、日焼け用であるＵＶ−Ａ及び／又はＵＶ−Ｂに、あるいは全般照明用の可視光等である他の波長に変換され得る。本発明に従った蛍光ランプは、全般照明用、特にはサンベッドランプとしての日焼け用、室内清浄用、臭気低減用、医療用、衛生用、抗アレルギー用、消毒用、及び／又は捕虫用に使用され得る。
【００１６】
本発明に従って使用可能である蛍光ランプは、１つ又は少なくとも２つの端部を有する放電ベッセルを有し得、放電ベッセルにおける放電を生成及び維持及び保持するよう電極を担持する電極担体は、端部において配置される。
【００１７】
蛍光ランプにおいて、水銀は、紫外線（ＵＶ）光を生成する主成分である。しかしながら、蛍光ランプはまた、水銀を有さずともよく、その代わりにＵＶ光を生成する成分を有する。ＵＶ光を生成するかかる成分は、「イオン化充填剤」とも称され、当業者には周知である。
【００１８】
蛍光ランプは更に、不活性ガス等であるバッファガスを有する。該ガスは、望ましくはネオン、アルゴン、クリプトン、キセノン等を有する群から選択される。
【００１９】
放電ベッセルの内壁は、発光層を有してコーティングされ得る。該発光層は、例えばＵＶ光を所望の放射線に変換する発光粉末である発光物質を有する。
【００２０】
望ましくは、蛍光ランプは、低圧放電ランプである。しかしながら、本発明に従って使用可能である放電ベッセル及び／又は蛍光ランプは、断面において実質的に円形である、ことが望ましい。放電ベッセル及び／又は蛍光ランプの形状は、管状又は電球状であり得る。
【００２１】
ＵＶによって活性化される（ＵＶ−ａｃｔｉｖａｔｅｄ）揮発性有機物質の放出を効率的に強化するよう、発光物質が上方に塗布されない放電ベッセルの内側表面の少なくとも１つの範囲が与えられ、放電ベッセルの上方外側表面上で前出の範囲に少なくとも対向しておかれる該基板層の分解によって、取り込まれた揮発性有機物質は、徐々に放出される。
【００２２】
揮発性有機物質を有する基板層は、放電ベッセルの外側上方表面上に多種の通り適用され得る。例えば、基板層は、放電ベッセルの外側上方表面が部分的に又は完全に基板層によって覆われるよう、適用され得る。基板層は、放電ベッセルの外側上方表面に対して円周に適用される、ことが望ましい。
【００２３】
基板層は、可視光及び／又はＵＶ光に対して透過性及び／又は透明である、ことが望ましい。透過性及び／又は透明の基板層は、無色又は事実上無色であり得る。また、透過性及び／又は透明の基板層は有色である、ことも所望され得る。しかしながら基板層は、当然のことながら、可視光及び／又はＵＶ光に対して非透過型及び／又は不透明であり得るか、事実上そうであり得る。特には、基板層が該基板層によって部分的に覆われる場合、基板層が可視光及び／又はＵＶ光に対して非透過型及び／又は不透明であり得るか、事実上そうである、ことは望まれ得る。例えば、放電ベッセルの内側表面の範囲上に発光層が適用されないところである一部分に対して、基板層がその外側表面上に適用される場合、基板層は、環境に対して、特には消費者に対して所望されないＵＶ光を妨げるよう、ＵＶ光に対して非透過型又は不透明であり得るか、事実上そうである、ことは有利であり得る。
【００２４】
「透明」という語は、基板層の一側上の物が、裸眼を有して基板層の他側から見ると可視である、ことを意味する。
【００２５】
揮発性物質を有する透過性及び／又は透明の基板層は、２００ｎｍ乃至１２００ｎｍの範囲において波長を有する放射線を伝達することができる、ことは望まれ得る。特には、透過性及び／又は透明の基板層は、２９０ｎｍ乃至７５０ｎｍにおける波長を有する放射線、望ましくは３２５ｎｍ乃至３８８ｎｍの範囲における波長又は少なくとも３６５ｎｍを上回る波長を有する放射線、より望ましくは４０５ｎｍ乃至４３６ｎｍの範囲における波長を有する放射線を伝達する、ことは所望され得る。基板層は、２９０ｎｍ乃至７５０ｎｍの波長範囲を有する放射線の５０％より多く、望ましくは６０％より多く、更に望ましくは７０％より多く、より更に望ましくは８０％より多く、最も望ましくは９０％より多くを伝達する、ことは所望され得る。
【００２６】
本発明の一実施例によれば、基板層と放電ベッセルの外側上方表面との間には、揮発性有機物質を有さない少なくとも１つの層が配置され得、例えば温度、ＵＶ活性等を低減する。
【００２７】
本発明の目的は、低温での環境に対する揮発性有機物質の望ましくは徐放である放出を与えることである。更には、揮発性有機物質の放出は少なくとも５０時間である長時間にわたって達成され得る、ことが望ましい。本発明によれば、放出の時間は、本発明に従った蛍光ランプの作動時間に基づいて、少なくとも約１００時間、望ましくは２５０時間、より望ましくは５００時間、最も望ましくは１５，０００時間乃至２０，０００時間、又はそれ以上である、ことは望ましい。
【００２８】
本発明に従った日焼けランプ又はサンベッドランプに対しては、放出の時間は、ランプの作動時間に基づいて、少なくとも３００乃至１，０００時間、望ましくは４００乃至８００時間、より望ましくは４５０乃至６５０時間である、ことは望ましい。
【００２９】
蛍光ランプの外側表面の作動における温度は、望ましくは７０℃以下且つ室温以上であり、より望ましくは６５℃以下且つ６０℃以下であり、より望ましくは４０℃以上且つ５５℃以下である。
【００３０】
本発明に従った蛍光ランプの利点は、そのより低い作動温度により、揮発性有機物質の放出は、スイッチを切る際に電球と比較して大幅に低減され得る、ことである。故に、揮発性有機物質の放出は、作動時には達成され得るが、スイッチオフ状態においては著しく低いレベルにある程度すぐに低減され得る。
【００３１】
更に望ましくは、本発明に従った蛍光ランプの作動時に長い時間にわたる揮発性有機物質の放出は、ある程度一定である、ことは所望され得る。本発明に従った蛍光ランプ野作動時に揮発性有機物質の実質的に一定である放出を達成するよう、基板層の多種の構造上の対策は成され得る。
【００３２】
揮発性物質の徐放速度を与えるよう、揮発性物質は封入され得る。例えば、基板層は、封入された揮発性物質を有して作られ得、及び／又は、封入された揮発性物質は、基板層へと埋め込まれ得る。更には、揮発性物質を有する多孔質担体、及び／又は、揮発性物質を有する多孔質基板層を使用し、長時間にわたる低温での揮発性物質の徐放を与える、ことは所望され得る。組み合わせて、あるいは代替として、障壁は、揮発性物質の徐放速度を与えるよう使用され得る。障壁は、基板層の上部上に適用される、ことが望ましい。しかしながら、障壁層は、発光層、望ましくは透明な発光層であり得る。
【００３３】
更には、ＵＶ保護層は、本発明に従った蛍光ランプ上、例えば基板層の表面の上部上、障壁の表面の上部上、及び／又は基板層と障壁層との間において使用され得、有害となり得る短波ＵＶ光を防ぐようにする。ＵＶ保護層は、内側発光層が適用されていないところである放電ベッセルの範囲を外面的に覆うよう、有利に使用され得る。
【００３４】
揮発性物質は、担体上で吸収され得、基板層における香料の優れた分布と、本発明に従った蛍光ランプの作動中の制御された放出とをいずれも確実なものとする。かかる担体は、低硫酸塩（ｌｉｇｈｔ  ｓｕｌｆａｔｅ）、シリカゲル、ゼオライト、望ましくはタイプＡ，Ｘ又はＺのゼオライト、石膏、粘土、粒状粘土、気泡コンクリート等である多孔質の無機物質、あるいは、木及びセルロースをベースとする物質等である有機物質、であり得る。
【００３５】
揮発性物質はまた、マイクロカプセル化形状又は噴霧乾燥形状、あるいは包接錯体の形状であり得る。
【００３６】
揮発性物質を有する基板層は、押出し生成物の形状であり得、蛍光ランプの放電ベッセルの外側表面に対してこの形状において適用され得る。
【００３７】
可能であれば、上述された通り修正された揮発性物質の特性は更に、関連する揮発性物質のより体系的な放出を目的として、適切な物質を有する所謂「コーティング」によって最適化され得る。かかる目的に対して、例えばポリビニルアルコール等のロウ状のプラスチックは、望ましくは使用される。揮発性物質のマイクロカプセル化は、例えばポリウレタン状物質又はソフトゼラチンであるカプセル物質を活用して、所謂コアセルベーション工程によって実行され得る。噴霧乾燥揮発性物質は、例えば、組成を有する乳剤又は分散（ｄｉｓｐｅｒｓｉｏｎ）を噴霧乾燥することによって作られ得る。運ぶ際（Ａｓ  ｃａｒｒｉｅｓ）、加工デンプン、プロテイン、デキストリン、及び／又は植物ゴムは、使用され得る。包接錯体は、例えば、シクロテキシトリン又は尿素派生物及び組成の分散を水等である適切な溶媒へと取り込むことによって、作られ得る。押出し生成物は、適切なロウ状材料を有して揮発性物質を融解することによって、また、押出しに続いて固化によって、任意でイソプロパノール等である適切な溶媒において作られ得る。
【００３８】
このコーティングは、揮発性物質が粒子からの拡散することを防ぐ。更には、コーティングは、特に揮発性トップノート（ｔｏｐ−ｎｏｔｅｓ）を有する香料等である揮発性物質の本来の「特徴」を残すのに役立つ。
【００３９】
本願中で使用されるコーティング物質は、望ましくはＵＶ光によって分解可能であり、揮発性物質が必要とされる量において分裂するよう設計され、従って揮発性物質を放出する。
【００４０】
粒子は、１つより多いＵＶ分解可能物質を有してコーティングされ得、１つより多いコーティング層を有する粒子を作る。異なるコーティング物質は、一般的には最も外側であるコーティングの１つがＵＶ分解可能である限り、必要に応じて異なる揮発性物質保護を与えるよう選択され得る。
【００４１】
粒子を有する個々の揮発性物質はまた、粒子を有する複数の個々の揮発性物質を有するより大きな粒子を与えるよう、コーティング物質を有して凝集され得る。粒子を取り巻くこの凝縮物質は、粒子からの揮発性物質の拡散に対して追加的な障壁を与える。かかるアプローチはまた、揮発性物質拡散の影響を受けやすい単体粒子の表面積を最小限にする。凝縮物質に対する揮発性物質粒子の割合は、所望される追加的な保護の限界に依存して大きく変わる。この凝縮アプローチは、揮発性物質又は特に分解の影響を受けやすい揮発性物質を有して特に有用であり得る。また、大変小さい揮発性物質粒子の凝縮は、揮発性物質からの早期拡散に対して追加的な保護を与える。
【００４２】
多孔質担体、多孔質基板層、及び／又は障壁層は、１ｎｍ乃至１００μｍである直径を有する孔隙を有し得、該直径は、望ましくは２００ｎｍ乃至５０μｍである。しかしながら、多孔質担体、多孔質基板層、及び／又は障壁層は、１０ｎｍ乃至９０μｍ、５０ｎｍ乃至８０μｍ、又は１００ｎｍ乃至６０μｍである直径を有する孔隙を有し得る。孔隙の直径は、望ましくは、本発明に従った蛍光ランプの作動時に揮発性物質がそこを介してゆっくりと貫通し得るよう、選択されるべきである。しかしながら、担体物質、基板層、及び／又は障壁層は、孔隙がＵＶ放射、即ち担体物質、基板層及び／又は障壁層のＵＶ感応（ＵＶ−ａｃｔｕａｔｅｄ）分解により形成されるよう、選択され得る。
【００４３】
本発明によれば、揮発性物質及び／又は基板層に対して固定剤を加えることによって、低温での揮発性物質の放出速度を低減する、ことは望まれ得る。一般的に、全ての固定剤は、適切であり、揮発性物質の放出速度を低減し得る。固定剤は、ゲル、ロウ状物質、接着剤、樹脂、及び／又は高粘度を有する構成要素を有する群から選択され得る。しかしながら、ゲル及び／又は粘着剤は最も望ましい。
【００４４】
更には、揮発性物質の放出が熱によって作動される場合、基板層がそこを介する香料の拡散を可能にする、ことは所望され得る。しかしながら、揮発性物質に対して不十分に浸透性がある又は浸透性がない基板層は、使用され得る。ＵＶ光により、基板層の分解が達成され得るため、揮発性物質は、基板層の分解の速度に依存して放出され得る。また、揮発性物質は、基板層に対して化学的に結合され得、揮発性物質と基板層との間の結合は、ＵＶに不安定である。ＵＶ光により、該ＵＶに不安定な結合の結合破壊が達成され得るため、揮発性物質は、本発明に従った蛍光ランプの作動時に基板から環境へと放出される。基板層は、一般的に有機物質であり、有機物質は、高分子、ロウ状物質、糖類、樹脂、及び／又は接着剤を有する群から選択され、望ましくは基板層は、有機ＵＶ分解可能材料である。
【００４５】
本発明によれば、高分子は、基板層として望ましくは使用され得る。適切な高分子は、ポリエステル、ポリエーテル、ポリアミド、ポリイミド、ポリウレア、ポリウレタン、ポリエチレン、ポリアクリラート、ポリアクリルアミド、ポリビニルアセテート、ポリエチレンイミン、ポリアミン、ポリアルコール、ポリカーボニック酸、エラストマ、デュロマ（ｄｕｒｏｍｅｒ）、糖類、及び／又は接着剤を有する群から選択され得る。
【００４６】
本発明に従って使用可能である高分子の分子量は、５００乃至１０，０００，０００、望ましくは１，０００乃至１，０００，０００、より望ましくは２５００乃至５００，０００、最も望ましくは５，０００乃至５０，０００である広範囲の分子量（ＭＷ）において変わり得る。しかしながら、１０，０００乃至２５，０００であるＭＷを有する高分子は、最も望ましい。
【００４７】
しかしながら、基板層は、ゲル又は高粘度を有する組成であり得る。
【００４８】
長時間にわたる低温度での揮発性物質の放出を向上させるよう、基板層の表面は、重要であり得る。放出される揮発性物質の量は、基板層のより大きな外側上方放出表面によって増大され得る。本発明によれば、前記基板層の全上方外側表面は、１ｍｍ２乃至１５００ｃｍ２であり、望ましく６ｍｍ２乃至１０００ｃｍ２である、ことが望まれ得る。しかしながら、前記基板層の全上方外側表面は、１０ｍｍ２乃至７００ｃｍ２、５０ｍｍ２乃至５００ｃｍ２、又は１００ｍｍ２乃至３００ｃｍ２である、ことが望まれ得る。
【００４９】
更には、熱によって作動される及び／又はＵＶ光によって作動される揮発性物質の放出に対して、表面、及び基板層を有する揮発性物質の厚さは、重要であり得る。例えば、熱によって作動される高い放出速度を避けるよう、基板層の増大された厚さが望まれ得る。ＵＶによって作動される揮発性物質の放出の場合において、この基板層をＵＶ吸収の観点から使用することが適切であり得る。故に、前出の基板層の平均的な厚さが１μｍ乃至２ｃｍ、望ましくは２０μｍ乃至０．５ｃｍである、ことは望まれる。しかしながら、基板層の平均的な厚さは、５μｍ乃至１ｃｍ、１０μｍ乃至０．３ｃｍ、又は５０μｍ乃至０．１ｃｍであってよい。
【００５０】
しかしながら、放出速度に更なる影響を与えるよう、揮発性物質は、７０℃以下、望ましくは６０℃以下又は５０℃以下である温度において放出可能である、ことは望まれ得る。
【００５１】
更には、揮発性物質の放出速度に影響を与えるよう、基板層は、濃度勾配を有する揮発性物質を有し得る。例えば、基板層において有される揮発性物質の濃度は、基板層のより下方の上方表面から外側上方表面まで増大し得る。基板層のより下方の上方表面は、揮発性物質を有さない又は実質的に有さない、ことが望ましく、いずれにしても（ｗｈｅｒｅ  ｅｌｓｅ）基板層の中間区分が揮発性物質の多くを有する。基板層の製造を容易にするよう、基板層は、少なくとも２つ乃至５つ、望ましくは３つ乃至４つの基板層を有する、ことが望ましく、基板層は、揮発性物質の濃度の量において変化し得る。しかしながら、内側基板層は、外側基板層と比較して高い揮発性物質の濃度を有する。
【００５２】
揮発性物質は、香料、防臭剤、殺虫剤、殺菌剤、調合薬、抗アレルギー薬、及び／又は臭気低減を有する群から選択され得る。
【００５３】
香料又は臭気は、悪臭を隠すよう使用される。本発明に従った蛍光ランプの悪臭を中和する特性は、驚くべきものである。悪臭は、日常生活において頻繁に発生し、個人の快適な暮らしを害する。該悪臭とは、特には家庭用ペット、例えば玉葱、ニンニク、キャベツ、又は魚の調理からもたらされる台所の臭気、煙草の煙による臭気、並びに、特には冷たい煙草の煙（ｃｏｌｄ  ｔｏｂａｃｃｏ  ｓｍｏｋｅ）、かび、及びごみによる臭気である。かかる悪臭は、例えば、人間によって発散される又は分泌される物質からもたらされるものである。加えて、悪臭は、作動中の日焼け用ランプ等である機械及び／又は電子機器によってもたらされる。かかる悪臭は通常、頻繁には微量でのみ存在するにおい物質によって特に引き起こされる。
【００５４】
本願中、「香料」という語は、悪臭中和剤（ｍａｌｏｄｏｒ  ｃｏｕｎｔｅｒａｃｔａｎｔ）として作用する、臭気（ｏｄｏｒｉｆｅｒｏｕｓ）物質又はすべての物質（ａｎｙ  ｍａｔｅｒｉａｌ）を意味する。一般的には、かかる材料は、室温において大気圧より大きい蒸気圧によって特徴付けられる。ここで用いられる香料又は防臭物質は、室温においては殆どの場合液体であるが、技術的に既知である多種のカンファ香料等の固体であり得る。幅広い種類の化学物質は、香料用途に対して既知であり、アルデヒド、ケトン、エステル、及び同等のもの等である物質を有する。より一般的には、自然に発生する植物及び動物のオイル、並びに多種の化学成分の複雑な混合を有する滲出液は、香料としての使用に対して既知であり、かかる物質が本願中で使用される。本願中の香料は、その組成において比較的単純であり得るか、あるいは、自然及び合成化学成分の大変高度且つ複雑な混合物を有し得、全ては所望の臭気を与えるよう選択される。
【００５５】
本願中の典型的な香料は、例えばサンダルウッドオイル、パチョリオイル、及び同等のもの等である珍しい物質を有する木／土状ベースを有し得る。本願中の香料は、例えばローズ抽出物、バイオレット抽出物、及び同等のものである軽い花の香りを有し得る。本願中の香料は、例えばライム、レモン、オレンジ、及び同等のものである、所望のフルーティーな臭気を与えるよう作成され得る。適切な香料は、ムスクアンブレト、ムスク、ムスクケトン、ムスクキシロール、エチルバニリン、及びそれらの混合物を有する。
【００５６】
臭気、又は「香料」とも称されるものは、最も望まれる。適切な香料は、自然の原材料からの抽出物を有する群から選択され得る。該材料は、エッセンシャルオイル、樹脂、バルサム、アンバーグリースチンキ剤等であるチンキ剤；アミリスオイル；アンジェリカシードオイル；アンジェリカルートオイル；アニシードオイル；ヴァレリアンオイル；バジルオイル；ツリーモスアブソリュート；ベイオイル；アーモイズオイル；ベンゾインレジノイド；ベルガモットオイル；ビーズワックスアブソリュート；バーチタールオイル；ビターアーモンドオイル；セイボリーオイル；ブチュリーフオイル；カブリューバオイル；ケイドオイル；カラムスオイル；カンファーオイル；カナンガオイル；カルダモンオイル；カスカリラオイル；カッシアオイル；カッシーアブソリュート；カストレウムアブソリュート；シダーリーフオイル；シダーウッドオイル；シスタスオイル；シトロネラオイル；レモンオイル；コパイババルサム；コパイババルサムオイル；コリアンダオイル；コスタスルートオイル；クミンオイル；サイプレスオイル；ダヴァナオイル；ディルウィードオイル；ディルシードオイル；オードブルートアブソリュート（ｅａｕ  ｄｅ  ｂｒｏｕｔｓ  ａｂｓｏｌｕｔｅ）；オークモスアブソリュート；エレミオイル；エストラゴンオイル；ユーカリプタスシトリオドラオイル；ユーカリプタスオイル（シネオールタイプ）；フェンネルオイル；ファーニードルオイル；ガルバナムオイル；ガルバナム樹脂；ゼラニウムオイル；グレープルフルーツオイル；グアヤクウッドオイル；ガージャンバルサム；ガージャンバルサムオイル；ヘリクリサムアブソリュート；ヘリクリサムオイル；ジンジャーオイル；アイリスルートアブソリュート；アイリスルートオイル；ジャスミンアブソリュート；カラムスオイル；ブルーカモミールオイル；ローマンカモミールオイル；キャロットシードオイル；カスカリラオイル；パインニードルオイル；スペアミントオイル；キャラウェイオイル；ラブダナムオイル；ラブダナムアブソリュート；ラブダナム樹脂；ラバンディンアブソリュート；ラバンディンオイル；ラベンダーアブソリュート；ラベンダーオイル；レモングラスオイル；ラビジオイル；蒸留ライムオイル；圧搾ライムオイル；リナロエオイル；リトシークベバオイル；ローレルリーフオイル；メースオイル；マジョラムオイル；マンダリンオイル；マッソイ（ｍａｓｓｏｉ）（バーク）オイル；ミモザアブソリュート；アンブレットシードオイル；ムスクティンクチュア；クラリーセージオイル；ナツメグオイル；ミルラアブソリュート；ミルラオイル；マートルオイル；クローブリーフオイル；クローブバドオイル；ネロリオイル；オリバナムアブソリュート；オリバナムオイル；オポパナクスオイル；オレンジフラワーアブソリュート；オレンジオイル；オリガナムオイル；パルマローザオイル；パチョリオイル；ペリラオイル；ペルーバルサムオイル；パセリリーフオイル；パセリシードオイル；プチグレンオイル；ペパーミントオイル；ペッパーオイル；ピメントオイル；パインオイル；ペニーロイヤルオイル；ローズアブソリュート；ローズウッドオイル；ローズオイル；ローズマリーオイル；ダルメシアンセージオイル；スパニッシュセージオイル；サンダルウッドオイル；セロリシードオイル；スパイクラベンダーオイル；スターアニスオイル；ストラックスオイル；タゲテスオイル；ファーニードルオイル；ティーツリーオイル；テレピンオイル；タイムオイル；トルーバルサム；トンカビーンアブソリュート；チュベローズアブソリュート；バニラエッセンス；ヴァイオレットリーフアブソリュート；バーベナオイル；ベチベルオイル；ジュニパーベリーオイル；ワインリースオイル；ワームウッドオイル；ウィンターグリーンオイル；イランイランオイル；ヒソップオイル；シベットオイル；シナモンリーフオイル；シナモンバークオイル；及びその少量（ｆｒａｃｔｉｏｎｓ）又はそこから分離した原料である。
【００５７】
更には、臭気は、例えば３−カレン；α−ピネン；β−ピネン；α−テルピネン；γ−テルピネン；ｐ−シメン；ビサボレン；カンフェン；カリオフィレン；セドレン；ファルネセン；リモネン；ロンギフォレン；ミルセン；オシメン；ヴァレセン；（Ｅ，Ｚ）−１，３，５−ウンデカトリエン；スチレン；ジフェニルメタン；である炭化水素、例えばヘキサノール；オクタノール；３−オクタノール；２，６−ジメチルヘプタノール；２−メチル−２−ヘプタノール；２−メチル−２−オクタノール；（Ｅ）−２−ヘキセノール；（Ｅ）−及び（Ｚ）−３−ヘキセノール；１−オクテン−３−オル；３，４，５，６，６−ペンタメチル−３／４−ヘプテン−２−オルと３，５，６，６−テトラメチル−４−メチレンヘプタン−２−オルとの混合物；（Ｅ，Ｚ）−２，６−ノナジエノール；３，７−ジメチル−７−メトキシオクタン−２−オル；９−デセノール；１０−ウンデセノール；４−メチル−３−デセン−５−オル；であるアリファティックアルコール、例えばヘキサノール；ヘプタナール；オクタナール；ノナナール；デカナール；ウンデカナール；ドデカナール；トリデカナール；２−メチルオクタナール；２−メチルノナナール；（Ｅ）−２−ヘクセナール；（Ｚ）−４−ヘプテナール；２，６−ジメチル−５−ヘプテナール；１０−ウンデセナール；（Ｅ）−４−デセナール；２−ドデセナール；２，６，１０−トリメチル−５，９−ウンデカジエナール；ヘプタナール−ジエチルアセタール；１，１−ジメトクシ−２，２，５−トリメチル−４−ヘキセン；シトロネリルオキシアセタールデヒド、であるアリファティックアルデヒド及びそのアセタール、を有する群から使用され得る。
【００５８】
更には、臭気は、例えば２−ヘプタノンデアル；２−オクタノン；３−オクタノン；２−ノナノン；５−メチル−３ヘプタノン；５−メチル−３−ヘプタノンオキシム；２，４，４，７−テトラメチル−６−オクテン−オン；であるアリファティックケトン及びそのオキシム、例えば３−メチルチオヘキサノール；３−メチルチオヘキシルアセテート；３−メルカプトヘキサノール；３−メルカプトヘキシルアセテート；３−メルカプトヘキシルブチラート；３−アセチルトビオヘキシルアセテート（３−ａｃｅｔｙｌｔｂｉｏｈｅｘｙｌ  ａｃｅｔａｔｅ）；１−メンテン−８−チオール；であるアリファティックサルファー含有化合物、例えば２−ノネンニトリル；２−トリデセンニトリル；２，１２−トリデセンニトリル；３，７−ジメチル−２，６−オクタジエンニトリル；３，７−ジメチル−６−オクテネンニトリル；であるアィファティックニトリル、を有する群から使用され得る。
【００５９】
更には、臭気は、例えば（Ｅ）−及び（Ｚ）−３−ヘキセニルフォーメート；エチルアセトアセテート；イソアミルアセテート；ヘキシルアセテート；３，５，５−トリメチルヘキシルアセテート；３−メチル−２−ブテニルアセテート；（Ｅ）−２−ヘキセニルアセテート；（Ｅ）−及び（Ｚ）−３−ヘキセニルアセテート；オクチルアセテート；３−オクチルアセテート；１−オクテン−３−イルアセテート；エチルブチラート；ブチルブチラート；イソアミルブチラート；ヘキシルブチラート；（Ｅ）−及び−３−ヘキセニルイソブチラート；ヘキシルクロトネート；エチルイソバレラート；エチル−２−メチルペンタノアート；エチルオクタノアート；エチル−（Ｅ，Ｚ）−２，４−デカジエノアート；メチル−２−オクチナート；メチル−２−ノニナート；アリル−２−イソアミルオキシアセテート；メチル−３，７−ジメチル−２，６−オクタジエノアート、であるアリファティックカルボン酸及びそのエステル、を有する群から使用され得る。
【００６０】
更には、臭気は、例えばシトロネロール；ゲラニオール；ネロール；リナロール；ラバンデュロール；ネロリドール；ファルネソル；テトラハイドロゲラニオール；２，６−ジメチル−７−オクテン−２−オル；２，６−ジメチルオクタン−２−オル；２−メチル−６−メチレン−７−オクテン−２−オル；２，６−ジメチル−５，７−オクタジエン−２−オル；２，６−ジメチル−３，５−オクタジエン−２−オル；３，７−ジメチル−４，６−オクタトリエン−３−オル；３，７−ジメチル−１，５，７−オクタトリエン−３−オル；２，６−ジメチル−２，５，７−オクタトリエン−１−オル、である非環式テルペンアルコールを有する群、並びに、そのフォーメート、アセテート、プロピオネート、イソブチラート、ブチラート、イソバレラート、ペンタノアート、ヘキサノアート、クロトナート、チグリナート及び３−メチル−２−ブテノアート、から使用され得る。
【００６１】
更には、臭気は、例えばゲラニアール；ネラール；シトロネラル；７−ハイドロキシ−３，７−チメジルオクタナル；７−メトキシ−３，７−ジメチルオクタナール；２，６，１０−トリメチル−９−ウンデセナール；α−シネンサール；β−シネンサール；ゲラニルアセトン、である非環式テルペンアルコール及びケトンを有する群、並びに、ゲラニアールのジエチルアセタール及びジメチル−、並びにネラール及び７−ハイドロキシ−３，７−ジメチルオクタナール、から使用され得る。
【００６２】
更には、臭気は、例えばメントール；イソプレゴール；アルファ−テルピネオル；テルピネン−４−オル；メンタン−８−オル；メンタン−７−オル；ボルネオル；イソボルネオル；酸化リナロール；ノポール；セドロール；アンブリノール；ベチベロール；グアイオル、である環式テルペンアルコールを有する群、並びに、フォーメート、アセテート、プロピオネート、イソブチラート、ブチラート、イソバレラート、ペンタノアート、ヘキサノアート、クロトナート、チグリナート、及び、アルファ−テルピネオル；テルピネン−４−オル；メタン−８−オル；メタン−１−オル；メタン−７−オル；ボルネオル；イソボルネオル；酸化リナロール；ノポール；セドロール；アンブリノール；ベチベロール；グアイオル、の３−メチル−２−ブテノアート、から使用され得る。
【００６３】
更には、臭気は、例えばメントーン；イソメントーン；８−メルカプトメンタン−３−オン；カルボン；カンファ；フェンコン；アルファ−イオノン；ベータ−イオノン；アルファ−ｎ−メチルイオノン；ベータ−ｎ−メチルイオノン；アルファ−イソメチルイオノン；ベータ−イソメチルイオノン；アルファ−イオノン；アルファ−ダマスコン；ベータ−ダマスコン；ベータ−ダナセノン；デルタ−ダマスコン；ガンマ−ダマスコン；１−（２，４，４−トリメチル−２−シクロヘキセン−１−イル）−２−ブテン−１−オン；１，３，４，６，７，８ａ−ヘキサハイドロ−１，１，５，５−テトラメチル−２Ｈ−２，４ａ−メタノナフタレン−８（５Ｈ）−１−オン；ヌートカトン；ジハイドロヌートカトン；アセチル化シダーウッドオイル（セドリルメチルケトン）、である環式テルペンアルコール及びケトンを有する群から使用され得る。
【００６４】
更には、臭気は、例えば４−ｔｅｒｔ．−ブチルチクロヘキサノール；３，３，５−トリメチルシクロヘキサノール；３−イソカンフィルシクロヘキサノール；２，６，９−トリメチル−Ｚ２，Ｚ５，Ｅ９−シクロドデカトリエン−１−オル；２−イソブチル−４−メチルテトラハイドロ−２Ｈ−ピラン−４−オル、である環式アルコールを有する群から使用され得る。
【００６５】
更には、臭気は、例えばアルファ，３，３−トリメチルシクロ−ヘキシル−メタノール；２−メチル−４−（２，２，３−トリメチル−３−シクロペント−１−イル）ブタノール；２−メチル−４−（２，２，３−トリメチル−３−シクロペント−１−イル）−２−ブテン−１−オル；２−エチル−４−（２，２，３−トリメチル−３−シクロペント−１−イル）−２−ブテン−１−オル；３−メチル−５−（２，２，３−トリメチル−３−シクロペント−１−イル）−ペンテン−２−オル；３−メチル−５−（２，２，３−トリメチル−３−シクロペント−１−イル）−４−ペンテン−２−オル；１−（２，２，６−トリメチルシクロヘキシル）ペンタン−３−オル；１−（２，２，６−トリメチルシクロヘキシル）ヘキサン−３−オル、である脂環式アルコールを有する群から使用され得る。
【００６６】
更には、臭気は、例えばシネオール；セドリルメチルエーテル；シクロドデシルメチルエーテル；（エトキシメトキシ）シクロドデカン；アルファ−セドレンエポキシド；３ａ，６，６，９ａ−テトラメチルドデカハイドロナフト［２，１−ｂ］フラン；３ａ−エチル−６，６，９ａ−トリメチル−ドデカハイドロナアフト［２，１−ｂ］フラン；１，５，９−トリメチル−１３−オキサビシクロ［１０．１．０］−トリデカ−４，８−ジエン；ローズオキシド；２−（２，４−ジメチル−３−シクロヘキセン−１−イル）−５−メチル−５−（１−メチル−プロピル）１，３−ジオキサン、である環式及び脂環式エーテルを有する群から使用され得る。
【００６７】
更には、臭気は、例えば４−ｔｅｒｔ．−ブチルシクロヘキサノン；２，２，５−トリメチル−５−ペンチルシクロペンタノン；２−ヘプチルシクロペンタノン；２−ペンチルシクロペンタノン；２−ハイドロキシ−３−メチル−２−シクロペンテン−１−オン；３−メチル−シス−２−ペンテン−１−イル−２−シクロペンテン−１−オン；３−メチル−２−ペンチル−２−シクロペンテン−１−オン；３−メチル−４−シクロペンタデセノン；３−メチル−５−シクロペンタデセノン；３−メチルシクロペンタデカノン；４−（１−エトキシビニル）−３，３，５，５−テトラメチルシクロ−ヘキサノン；４−ｔｅｒｔ．−ペンチルシクロヘキサノン；５−シクロヘキサデセン−１−オン；６，７−ジハイドロ−１，１，２，３，３−ペンタメチル−４（５Ｈ）−インダノン；５−シクロヘキサデセン−１−オン；８−シクロヘキサデセン−１−オン；９−シクロヘプタデセン−１−オン；シクロペンタデカ−ノン、である環式ケトンを有する群から使用され得る。
【００６８】
更には、臭気は、例えば２，４−ジメチル−３−シクロヘキセンカルバルデハイド；２−メチル−４−（２，２，６−トリメチル−シクロヘキセン−１−イル）−２−ブテナール；４−（４−ヒドロキシ−４−メチルペンチル）−３−シクロヘキセンカルバルデハイド；４−（４−メチル−３−ペンテン−１−イル）−３−シクロヘキセンカルバルデハイド、である脂環式アルデヒドを有する群から使用され得る。
【００６９】
更には、臭気は、例えば１−（３，３−ジメチルシクロヘキシル）−４−ペンテン−１−オン；１−（５，５−ジメチル−１−シクロヘキセン−１−イル）−４−ペンテン−１−オン；２，３，８，８−テトラメチル−１，２，３，４，５，６，７，８−オクタハイドロ−２−ナフタェニルメチルケトン；メチル−２，６，１０−トリメチル−２，５，９−シクロドデカ−トリエニルケトン；ｔｅｒｔ．−ブチル−（２，４−ジメチル−３−シクロヘキセン−１−イル）ケトン、である脂環式ケトンを有する群から使用され得る。
【００７０】
更には、臭気は、例えば２−ｔｅｒｔ．−ブチルシクロヘキシルアセテート；４−ｔｅｒｔ．−ブチルシクロヘキシルアセテート；２−ｔｅｒｔ．−ペンチルシクロヘキシルアセテート；４−ｔｅｒｔ．−ペンチルシクロヘキスルアセテート；デカハイドロ−２−ナフチルアセテート；３−ペンチルテトラハイドロ−２Ｈ−ピラン−４−イルアセテート；デカハイドロ−２，５，５，８ａ−テトラメチル−２−ナフチルアセテート；４，７−メタノ−３ａ，４，５，６，７，７ａ−ヘキサ−ハイドロ−５又は６−インデニルアセテート；４，７−メタノ−３ａ，４，５，６，７，７ａ−ヘキサハイドロ−５又は６−インデニルイソブチラート；４，７−メタノオクタハイドロ−５又は６−インデニルアセテート、である環式アルコールを有する群から使用され得る。
【００７１】
更には、臭気は、例えばアリル３−シクロヘキシル−プロピオネート；アリルシクロヘキスルオキシアセテート；メチルジヒドロジャスモ−ネート；メチルジャスモネート；メチル２−ヘキシル−３−オキソシクロペンタンカルボキシラート；エチル２−エチル−６，６−ジメチル−２−シクロヘキセンカルボキシレート；エチル２，３，６，６−テトラメチル−２−シクロヘキセンカルボキシラート；エチル２−メチル−１，３−ジオキソレン−２−アセテート、である脂環式カルボキシリック酸のエステル、ベンジルアルコール；１−フェニルレチルアルコール；２−フェニルレチルアルコール；３−フェニルプロパノール；２−フェニルプロパノール；２−フェノキシエタノール；２，２−ジメチル−３−フェニルプロパノール；２，２−ジメチル−３−（３−メチルフェニル）プロパノール；１，１−ジメチル−２−フェニルエチルアルコール；１，１−ジメチル−２−フェニルプロパノール；１−エチル−１−メチル−３−フェニルプロパノール；２−メチル−５−フェニルペンタノール；３−メチル−５−フェニルペンタノール；３−フェニル−２−プロペン−１−オル；４−メチルオキシベンジルアルコール；１−（４−イソプロピルフェニル）エタノール、であるアラリファティック（ａｒａｌｉｐｈａｔｉｃ）アルコール、を有する群から使用され得る。
【００７２】
更には、臭気は、例えばベンジルアセテート；ベンジルプロピオネート；ベンジルイソブチラート；ベンジルイソバレラート；２−フェニルエチルアセテート；２−フェニルエチルプロピオネート；２−フェニルエチルイソブチラート；２−フェニルエチルイソバレラート；１−フェニルエチルアセテート；アルファ−トリクロロメチルベンジルアセテート；アルファ，アルファ−ジメチル−フェニルエチルアセテート；アルファ，アルファ−ジメチルフェニルエチルブチラート；シンナミルアセテート；２−フェノキシエチルイソブチラート；４−メトキシベンジルアセテート；例えば２−フェニルエチルメチルエーテルであるアラリファティックエーテル；２−フェニルエチルイソアミルエーテル；２−フェニルエチル−１−エトキシエチルエーテル；フェニルアセトアルデヒドジメチルアセタール；フェニルアセトアルデヒドジエチルアセタール；ヒドラトロパアルデヒドジメチルアセタール；フェニルアセトアルデヒドグリセロールアセタール；２，４，６−トリメチル−４−フェニル−１，３−ジオキサン；４，４ａ，５，９ｂ−テトラヒドロインデノ［１，２−ｄ］−ｍ−ジオキシン；４，４ａ，５，９ｂ−テトラヒドロ−２，４−ジメチルインデノ［１，２−ｄ］−ｍ−ジオキシン、である脂肪族カルボキシリック酸及びアラリファティックアルコールのエステルを有する群から使用され得る。
【００７３】
更には、臭気は、例えばベンズアルデヒド；フェニルアセトアルデヒド；３−フェニルプロパナール；ヒドラトロプアルデヒド；４−メチルベンズアルデヒド；４−メチル−フェニルアセトアルデヒド；３−（４−エチルフェニル）−２，２−ジメチルプロパナール；２−メチル−３−（４−イソプロピルフェニル）プロパナール；２−メチル−３−（４−ｔｅｒｔ．−ブチルフェニル）プロパナール；３−（４−ｔｅｒｔ．−ブチルフェニル）プロパナール；シンナムアルデヒド；アルファ−ブチルシンナムアルデヒド；アルファ−アミルシンナムアルデヒド；アルファ−ヘキシルシンナムアルデヒド；３−メチル−５−フェニルペンタナル；４−メトキシベンズアルデヒド；４−ヒドロキシ−３−メトキシベンズアルデヒド；４−ヒドロキシ−３−エトキシベンズアルデヒド；３，４−メチレン−ジオキシベンズアルデヒド；３，４−ジメトキシベンズアルデヒド；２−メチル−３−（４−メトキシフェニル）プロパナール；２−メチル−３−（４−メチルエンジオキシフェニル）プロパナール、である芳香族及びアラリファティックアルデヒドを有する群から使用され得る。
【００７４】
更には、臭気は、例えばアセトフェノン；４−メチルアセトフェノン；４−メトキシアセトフェノン；４−ｔｅｒｔ．−ブチル−２，６−ジメチルアセトフェノン；４−フェニル−２−ブタノン；４−（４−ヒトロキシフェニル）−２−ブタノン；１−（２−ナフタレニル）エタノン；ベンゾフェノン；１，１，２，３，３，６−ヘキタメチル−５−インダニルメチルケトン；６−ｔｅｒｔ．−ブチル−１，１−ジメチル−４−インダニルメチルケトン；１−［２，３−ジヒドロ−１，１，２，６−テトラメチル−３−（１−メチル−エチル）−１Ｈ−５−インデニル］エタノン；５’，６’，７’，８’−テトラヒドロ−３’，５’，５’，６’，８’，８’−ヘキサメチル−２−アセトナフトン、である芳香族及びアラリファティックケトンを有する群から使用され得る。
【００７５】
更には、臭気は、例えばベンズ酸；フェニルアセティック酸；メチルベンゾエート；ヘキシルベンゾエート；ベンジルベンゾエート；メチルフェニルアセテート；エチルフェニルアセテート；ゲラニルフェニルアセテート；フェニルエチルフェニルアセテート；メチルシンナメート；エチルシンナメート；ベンジルシンナメート；フェニルエチルシンナメート；シナミルシンナメート；アリルフェノキシアセテート；メチルサリチラート；イソアミルサリチラート；ヘキシルサリチラート；シクロヘキシルサリチラート；シス−３−ヘキセニルサリチラート；ベンジルサリチラート；フェニレチルサリチラート；メチル２，４−ジヒドロキシ−３，６ジメチルベンゾエート；エチル３−フェニルグリシデート；エチル３−メチル−３−フェニルグリシデート、である芳香族及びアラリファティックカルボキシリック酸及びそのエステルを有する群から使用され得る。
【００７６】
更には、臭気は、例えば２，４，６−トリニトロ−１，３−ジメチル−５−ｔｅｒｔ−ブチルベンゼン；３，５−ジニトロ−２，６−ジメチル−４−ｔｅｒｔ．−ブチルアセトフェノン；シンナモニトリル；５−フェニル−３−メチル−２−ペンテノニトリル；５−フェニル−３−メチルペンタノニトリル；メチルアントラニレート；メチル−Ｎ−メチルアントラニレート；７−ヒドロキシ−３，７−ジメチルオクタナール、２−メチル−３−（４−ｔｅｒｔ．−ブチルフェニル）−プロパナール、又は２，４−ジメチル−３−シクロヘキセンカルボアルデヒドを有するメチルアントラニレートノシッフ塩基；６−イソプロピルキノリン；６−イソブチルキノリン；６−ｓｅｃ．−ブチルキノリン；インドール；スカトール；２−メトキシ−３−イソプロピル−ピラジン；２−イソブチル−３−メトキシプラジン、であるニトロゲン含有芳香族化合物を有する群から使用され得る。
【００７７】
更には、臭気は、例えばエストラゴール；アネトール；ユージノール；ユージニルメチルエテル；イソユージノール；イソユージノールメチルエーテル；チモール；カルバコール；ジフェニルエーテル；ベータ−ナフチルメチルエーテル；ベータナフチルエチルエーテル；ベータ−ナフチルイソブチルエーテル；１，４−ジメトキシベンゼン；ユージニルアセテート；２−メトキシ−４−メチルフェノール；２−エトキシ−５−（１−プロペニル）フェノール；ｐ−クレシルフェニルアセテート、であるフェノール、フェニルエーテル、及びフェニルエステルを有する群から使用され得る。
【００７８】
更には、臭気は、例えば２，５−ジメチル−４−ヒドロキシ−２Ｈ−フラン−３−オン；２−エチル−４−ヒドロキシ−５−メチル−２Ｈ−フラン−３−オン；３−ヒドロキシ−２−メチル−４Ｈ−ピラン−４−オン；２−エチル−３−ヒドロキシ−４Ｈ−ピラン−４−オン、である複素環式化合物を有する群から使用され得る。
【００７９】
更には、臭気は、例えば１，４−オクタノリド；３−メチル−１，４−オクタノリド；１，４−ノナノリド；１，４−デカノリド；８−デセン−１，４−オリド；１，４−ウンデカノリド；１，４−ドデカノリド；１，５−デカノリド；１，５−ドデカノリド；１，１５−ペンタデカノリド；シス−及びトランス−１１−ペンタデセン−１，１５−オリド；シス−及びトランス−１２−ペンタデセン−１，１５−オリド；１，１６−ヘキサデカノリド；９−ヘクサデセン−１，１６−オリド；１０−オキサ−１，１６−ヘキサデカノリド；１１−オキサ−１，１６−ヘキサデカノリド；１２−オキサ−１，１６−ヘキサデカノリド；エチレン−１，１２−ドデカンジオエート；エチレン−１，１３−トリデカンジオエート；クマリン；２，３−ジヒドロクマリン；オクタヒドロクマリン、であるラクトンを有する群から使用され得る。
【００８０】
基板層は、０．０１重量％乃至４０重量％、望ましくは１重量％乃至５重量％である量において揮発性有機物質を有する、ことが望ましい。しかしながら、基板は、０．０２重量％乃至３５重量％、望ましくは０．０５重量％乃至３０重量％、より望ましくは０．１重量％乃至２５重量％、最も望ましくは０．５重量％乃至１０重量％、及び最も望ましくは３重量％乃至８重量％である重量において揮発性有機物質を有する、ことが望まれ得る。
【発明を実施するための最良の形態】
【００８１】
以下において、本発明の詳細は、図面中に示される実施例を参照して説明される。
【００８２】
本発明に従った一実施例の蛍光ランプは、図１及び図２中に示される。図２は、図１中の位置ＩＩ−ＩＩからみた蛍光ランプの断面である。蛍光ランプは、ストレート管型ガラス管放電ベッセル１の外側表面上に揮発性物質を有する薄い組成層２を有する。発光層膜３は、ガラス管１の内側表面上にコーティングされる。ガラス管１において、水銀及びバッファガスは封入される。放電は、ベース５及びピン６を介して電源に対してランプを電気的に接続することによって生成される。発光層膜３は、放射される紫外線を受け、所望のＵＶ−Ａ光、ＵＶ−Ｂ光、及び／又は可視光を放出する。バッファガスとして、ネオン、アルゴン、クリプトン、キセノン等である不活性ガスが使用される。薄膜組成層２は、蛍光ランプから放射線を吸収し、揮発性物質は、ＵＶ光及び／又は稼働時に蛍光ランプよって生成される熱によって、放出され得る。放出された有機揮発性物質の種類に依存して、悪臭物質はマスクとなり得（ｍａｌｏｄｏｒｏｕｓ  ｓｕｂｓｔａｎｃｅｓ  ｃａｎ  ｂｅ  ｍａｓｋｓ）、細菌及び菌類は、低減され得る。薄膜組成層２及び薄い発光層膜３が、ガラス管放電ベッセル１を介して互いに隣接するため、本発明に従った発光層の熱及び／又は薄膜発光層３から放射されるエネルギは、低い温度において有機性揮発性物質をゆっくりと放出するよう、効果的に利用され得る。
【００８３】
本発明に従った一実施例の蛍光ランプは、図３及び図４中に示される。図４は、図３中の位置ＩＩ−ＩＩから見られる蛍光ランプの断面である。蛍光ランプは、ストレート管型ガラス管放電ベッセル１の外側表面上の一部分に対して適用される薄い組成層２を有する揮発性物質を有する。発光層膜３は、組成層が適用されない部分に対してガラス管１の内側表面上でコーティングされる。ガラス管１において、水銀及びバッファガスが封入される。放電は、ベース５及びピン６を介して電源に対してランプを電気的に接続することによって生成され、水銀は、紫外線を放射する。発光層膜３は、放射される紫外線を受け、所望のＵＶ−Ａ光、ＵＶ−Ｂ光、及び／又は可視光を放出する。バッファガスとして、ネオン、アルゴン、クリプトン、キセノン等である不活性ガスが使用される。薄膜組成層２は、蛍光ランプから放射線を吸収し、揮発性物質は、ＵＶ光及び／又は稼働時に蛍光ランプよって生成される熱によって、放出され得る。放出された有機揮発性物質の種類に依存して、悪臭物質はマスクとなり得、細菌及び菌類は、低減され得る。薄膜組成層２及び薄い発光層膜３が、ガラス管放電ベッセル１を介して互いに隣接するため、本発明に従った発光層の熱及び／又は薄膜発光層３から放射されるエネルギは、低い温度において有機性揮発性物質をゆっくりと放出するよう、効果的に利用され得る。
【００８４】
揮発性物質を有する基板層は、例えば揮発性物質の基板層の物質との混合、及びその後の押出し等である一般的な技術によって、得られ得る。蛍光ランプは、続いて、揮発性物質を有する基板によってコーティングされる。
【００８５】
コーティングされた揮発性物質を有する粒子は、集積技術、噴霧乾燥、流体ビード（ｆｌｕｉｄ  ｂｅａｄ）技術等である一般的な技術によって、得られ得る。
【００８６】
一般的に、４０個の蛍光ランプを有するサンベッドが使用され、各々は１００Ｗ又は１６０Ｗの電力で作動する。これは、０乃至４％のＵＶ−Ｂ光を有するランプあたり３０乃至４５ＵＶワットのＵＶ光束をもたらし、残る放射光は、事実上ＵＶ−Ａである。前出の日焼け用ランプの通常の放射寿命は、５００乃至８００時間である。適用される芳香は、略同じ寿命で放出される。蛍光ランプは、約４０℃（端部）乃至約９０℃（中心）である作動時温度に達し得る。かかる温度は、電力及び据付けられるランプ冷却装置に大きく依存する。ランプに対する香料含有物質の蒸着に関しては、複数の試みが成され得る。望ましい解決策は、約１ｍｍの厚さ及び約１５乃至２０ｃｍ２の表面を有する、ランプの曲率に対して形成されるプロエチレン又はプリプロピレンを有する香料に浸漬された高分子層を得ること、である。望ましくは、かかる香料に浸漬された高分子層は、接着剤の使用によって蛍光ランプに対して取り付けられ得る。香料を有する基板が受ける温度は、香料を有する基板がランプに対して接着される位置に依存する。故に、香料を有する基板の位置及び行き渡る温度に依存して、高分子から放出される香料の量は、香料の放出速度及び放出時間を変えるよう、変えられ得る。
【００８７】
代替案として、例えば低融点高分子である香料を有する高分子基板は、蛍光ランプの外側上方表面上へと融解及び／又は「ペイント」され得る。
【００８８】
本発明は、例を用いて更に説明される。
【００８９】
図１及び図３に従った蛍光ランプは、管状の設計を有し、１００Ｗの電力で稼動し、ＹＶ−ワットに対して３０であるＵＶ光束、及び０乃至４％のＵＶ−Ｂ光を有し、残りの放射光は実質的にＵＶ−Ａである。例えばポリエチレン、又はＩＦＦ  Ｉｎｔｅｒｎａｔｉｏｎａｌ  Ｆｌａｖｏｒｓ  ＆  Ｆｒａｇｒａｎｃｅｓ  Ｉｎｃ．社が販売するポリフ（ｐｏｌｙｉｆｆ）（登録商標）である高分子基板は、約１ｍｍの厚さ及び約１５乃至２０ｃｍ２の表面を有する、蛍光ランプ管の両側上で蛍光ランプの中心の方向において末端外側上方表面から適用される。
【００９０】
香料組成は、例えばポリエチレン又はポリフ（ｐｏｌｙｉｆｆ）（登録商標）である高分子基板において、高分子基板の総重量に基づいて１０重量％、１５重量％、２０重量％、及び２５重量％である量において、分散された。
【００９１】
使用される香料組成は、以下に記載される。
【００９２】
【表１】
2008520063.tif 000010
2008520063.tif 000011
2008520063.tif 000012
【００９３】
表中の要素及び特徴の特定の組合せは、単なる典型である。かかる教示を本願における他の教示並びに参照される特許／出願と入れ替えること及び置き換えることはまた、明確に意図される。当業者が認識する通り、本願中に記載されるものの変形、修正、及び他の実施は、請求項中の本発明の趣旨及び範囲を逸脱せずに当業者によって考えられ得る。したがって、前述された説明は、単なる例証であり、制限するものとして意図されない。本発明の範囲は、添付の請求項及び同等のものにおいて定義付けられる。更に、明細書及び請求項において使用される参照符号は、本発明の範囲を制限する物ではない。
【図面の簡単な説明】
【００９４】
【図１】蛍光ランプの長手方向断面図である。
【図２】蛍光ランプの断面図である。
【図３】蛍光ランプの長手方向断面図である。
【図４】蛍光ランプの断面図である。
【国際調査報告】
2008520063.tif 000013
2008520063.tif 000014